(57)【要約】  切替弁装置は、第１の弁機構５０の２枚のセラミックディスク５１，５２を弁装置本体の軸方向一側に配設し、第１の水流入口と第１の水流出口とを連通状態とする第１の通水位置と遮断状態とする遮水位置との間で切替自在とする。また、第２の弁機構６０の２枚のセラミックディスク６１，６２を弁装置本体の軸方向他側に配設し、第２の水流入口と第３の水流出口とを連通状態とする第２の通水位置と遮断状態とする遮水位置との間で切替自在とする。そして、ハンドル７０により、第１の弁機構５０が第１の通水位置にあるときに第２の弁機構６０を遮水位置とすると共に、第２の弁機構６０が第２の通水位置にあるときは第１の弁機構５０を遮水位置とするよう、第１の弁機構５０と第２の弁機構６０とを同期して回動操作する。
2010016091.tif 000002
【特許請求の範囲】
【請求項１】
第１の水流入口、前記第１の水流入口とそれぞれ連通する第１の水流出口及び第２の水流出口と、前記第２の水流出口と外部給水装置を介して連通自在な第２の水流入口と、前記第２の水流入口と連通する第３の水流出口とを有する弁装置本体と、
前記弁装置本体の軸方向一側において、前記第１の水流入口と前記第１の水流出口とを結ぶ経路上に内装配置され、前記第１の水流入口と前記第１の水流出口とを連通状態とする第１の通水位置と、前記第１の水流入口と前記第１の水流出口とを遮断状態とする遮水位置との間で切替自在なセラミックディスクからなる第１の弁機構と、
前記弁装置本体の軸方向他側において、前記第１の水流入口並びに前記第１及び第２の水流出口と遮断された状態で、前記第２の水流入口と前記第３の水流出口をと結ぶ経路上に内装配置され、前記第２の水流入口と前記第３の水流出口とを連通状態とする第２の通水位置と、前記第２の水流入口と前記第３の水流出口とを遮断状態とする遮水位置との間で切替自在なセラミックディスクからなる第２の弁機構と、
前記第１の弁機構が第１の通水位置にあるときに前記第２の弁機構を遮水位置とすると共に前記第２の弁機構が第２の通水位置にあるときは前記第１の弁機構を遮水位置とするよう前記第１の弁機構と前記第２の弁機構とを同期して回動操作すべく、前記第１の弁機構と前記第２の弁機構とを作動連結するハンドルと
を備えることを特徴とする切替弁装置。
【請求項２】
前記第１の弁機構は、前記第１の水流入口と前記第１の水流出口とを結ぶ経路の上流側に配置される可動ディスクと下流側に配置される固定ディスクとからなり、前記可動ディスク及び固定ディスクを密接状態で配置する一方、前記可動ディスクに少なくとも１個の通水孔を形成すると共に、前記固定ディスクには前記可動ディスクを回動したときの当該可動ディスクの通水孔の移動軌跡上に当該可動ディスクの通水孔と連通自在な通水孔を形成して、前記可動ディスクを回動してその通水孔を前記固定ディスクの通水孔と連通状態とすることにより、前記第１の水流入口と前記第１の水流出口とを連通する前記第１の通水位置とすると共に、前記可動ディスクを回動してその通水孔を前記固定ディスクの通水孔と非連通状態とすることにより、前記第１の水流入口と前記第１の水流出口との連通を遮断して前記遮水位置とし、
前記第２の弁機構は、前記第２の水流入口と前記第３の水流出口とを結ぶ経路の上流側に配置される可動ディスクと下流側に配置される固定ディスクとからなり、前記可動ディスク及び固定ディスクを密接状態で配置する一方、前記可動ディスクに少なくも１個の通水孔を形成すると共に、前記固定ディスクには前記可動ディスクを回動したときの当該可動ディスクの通水孔の移動軌跡上に当該可動ディスクの通水孔と連通自在な通水孔を形成して、前記可動ディスクを回動してその通水孔を前記固定ディスクの通水孔と連通状態とすることにより、前記第２の水流入口と前記第３の水流出口とを連通する前記第２の通水位置とすると共に、前記可動ディスクを回動してその通水孔を前記固定ディスクの通水孔と非連通状態とすることにより、前記第２の水流入口と前記第３の水流出口との連通を遮断して前記遮水位置とし、
前記第１の弁機構の可動ディスクと前記第２の弁機構の可動ディスクとは、前記弁装置本体の内部に隔壁を介して遮断された状態で同軸上に配置され、
前記ハンドルは、前記第１の弁機構の可動ディスクと前記第２の弁機構の可動ディスクとを同期して回動操作するよう、前記第１の弁機構の可動ディスクの回動軸と前記第２の弁機構の可動ディスクの回動軸との間を掛け渡して作動連結する形状をなすことを特徴とする請求項１記載の切替弁装置。
【請求項３】
前記弁装置本体は、更に、前記第１の水流出口に隣接して、当該第１の水流出口とは遮断された状態で前記第１の水流入口と連通する第４の水流出口を有し、
前記第１の弁機構は、前記固定ディスクの通水孔を前記第１の水流出口用の第１の通水孔とすると共に、当該固定ディスクにおける前記可動ディスクを回動したときの当該可動ディスクの通水孔の移動軌跡上において、前記固定ディスクの第１の通水孔と所定角度を置いた別の位置に、前記可動ディスクの通水孔と連通自在な第２の通水孔を形成して、前記可動ディスクを回動してその通水孔を前記固定ディスクの第２の通水孔と連通状態とすることにより、前記第１の水流入口と前記第４の水流出口とを連通する第３の通水位置とすると共に、前記可動ディスクを回動してその通水孔を前記固定ディスクの第１の通水孔及び第２の通水孔のいずれとも非連通状態とすることにより、前記第１の水流入口と前記第１の水流出口及び第４の水流出口の両者との連通を遮断して前記遮水位置とし、
前記ハンドルは、前記第１の弁機構が前記第１の通水位置または第３の通水位置にあるときは前記第２の弁機構を遮水位置とすると共に前記第２の弁機構が前記第２の通水位置にあるときは前記第１の弁機構を遮水位置とするよう前記第１の弁機構の可動ディスクと前記第２の弁機構の可動ディスクとを同期して回動操作すべく、前記第１の弁機構の可動ディスクと前記第２の弁機構の可動ディスクとを作動連結することを特徴とする請求項２記載の切替弁装置。
【請求項４】
前記第１の弁機構は、前記可動ディスクの通水孔として一対の通水孔を当該可動ディスクの周方向に１８０度の角度間隔を置いて形成すると共に、前記固定ディスクの通水孔として、前記可動ディスクの一対の通水孔と対応する一対の通水孔を、前記可動ディスクを回動したときの当該可動ディスクの通水孔の移動軌跡上に当該可動ディスクの通水孔と連通自在なよう形成して、前記可動ディスクを回動してその一対の通水孔を前記固定ディスクの一対の通水孔とそれぞれ連通状態とすることにより、前記第１の水流入口と前記第１の水流出口とを連通する前記第１の通水位置とすると共に、前記可動ディスクを回動してその一対の通水孔を前記固定ディスクの一対の通水孔のいずれとも非連通状態とすることにより、前記第１の水流入口と前記第１の水流出口との連通を遮断して前記遮水位置とすることを特徴とする請求項２または３記載の切替弁装置。
【請求項５】
前記第２の弁機構は、前記可動ディスクの通水孔を円形孔とすると共に、前記固定ディスクを、前記可動ディスクの通水孔より若干大径で当該可動ディスクの通水孔を包囲する外形を有し、かつ、当該可動ディスクの通水孔と対応する形状をなす通水孔を有するリング状とし、前記固定ディスクを前記可動ディスクの通水孔の移動軌跡上に配置して固定したことを特徴とする請求項３項記載の切替弁装置。
【請求項６】
前記第１の弁機構の固定ディスクの第１の通水孔及び第２の通水孔と前記第２の弁機構の固定ディスクの通水孔とを、前記可動ディスクの回転方向において９０度以内の配置角度範囲内にそれぞれ離間配置し、当該配置角度範囲内で、前記ハンドルによる前記第１の弁機構の第１の通水位置及び第３の通水位置と前記第２の弁機構の第２の通水位置との間での弁切替操作を行うようにしたことを特徴とする請求項３記載の切替弁装置。
【請求項７】
前記第１の弁機構の可動ディスクまたは前記第２の弁機構の可動ディスクは、その外周部の一部に、前記第１の弁機構の固定ディスクの第１の通水孔及び第２の通水孔と前記第２の弁機構の固定ディスクの通水孔の配置角度範囲と同一の角度範囲で延びる円弧状の切欠部を有し、当該可動ディスクの回動時に、前記切欠部の円弧方向両端の段差部を前記弁装置本体の内部に設けた対応する規制片にそれぞれ係止してそれ以上の回動を阻止することにより、前記第１の弁機構の固定ディスクの第１の通水孔及び第２の通水孔と前記第２の弁機構の固定ディスクの通水孔との前記配置角度範囲内でのみ前記ハンドルによる前記第１の弁機構及び第２の弁機構の回動操作を行うようにしたことを特徴とする請求項６記載の切替弁装置。
【発明の詳細な説明】
【技術分野】
【０００１】
本発明は、切替コック等の切替弁装置に関し、特に、セラミックディスクからなる可動ディスク及び固定ディスクを利用して、原水ストレート吐水、原水シャワー吐水及び浄水吐水の３つの吐水モードの間で弁切換動作を行う切替弁装置に関するものである。
【背景技術】
【０００２】
この種の切替弁装置としては、例えば、水栓の吐水口に着脱自在に装着されるもの切替弁（切替コックとも言う）がある。この切替弁は、例えば、ハンドルにより原水ストレート吐水用の原水ストレート位置と、原水シャワー吐水用の原水シャワー位置と、浄水吐水用の浄水位置との間で切替自在とされ、３方向の流路（原水ストレート用流路、原水シャワー用流路、浄水用流路）を選択的に切替自在な三方弁として具体化される。或いは、切替弁は、特許文献１（特開２００４−３４６９５８号公報）に記載のように、４方向の流路（原水ストレート用流路、原水シャワー用流路、浄水ストレート用流路、浄水シャワー用流路）を選択的に切替自在な四方弁として具体化されたり、特許文献２（特開２００７−３０９３３３号公報）に記載のように、５方向の流路を選択的に切替自在な五方弁として具体化されたり、逆に、特許文献３（特開２０００−２６６１９９号公報）に記載のように、２方向の流路を選択的に切替自在な二方弁として具体化されたりする。即ち、切替弁は、２方向以上の流路を選択的に切替自在なものとして具体化することができる。更に、切替弁に接続する外部給水装置は、一般的には浄水器であるが、それ以外にも、食器洗浄機等の浄水器以外の装置とすることもできる。なお、一般に、これら切替弁の弁機構は、流路の数に対応して球状弁体と弁座とを設け、球状弁体を弁座から離間させたり弁座に着座させたりして流路の開閉を行ったり、流路の数に対応して円筒状弁体に複数の弁孔を設け、円筒状弁体を周方向に回動する対応する弁座の弁孔との連通及び連通遮断を行って、流路の切替を行っている。【０００３】
一方、従来、球状弁体等の代わりに、セラミックディスクを使用した弁機構も提案されている。例えば、特許文献４（特開平８−１４５２０９号公報）には、セラミックディスクを用いた三方弁が開示されている。この三方弁は、同文献の要約に記載のように、可動ディスク外周に係合したハンドルを、円筒状弁本体の外周で回動させて切換える三方弁で、固定ディスクに流入通水口と流出通水口を貫通する。また、可動ディスクに、この流入通水口と連通した通水口と、この通水口に隣接し且つ前記流入通水口を閉塞する閉塞ランド部と、これらの通水口と閉塞ランド部とから隔絶され且つ流入通水口と流出通水口とを同時に連通するバイパス凹部とを設けている。これにより、可動ディスクを回動するだけで、第１の流出、第１と第２の同時流出、及び第２の流出の切換えができるとされている。【０００４】
また、本件出願人の特許である特許文献５（特許第３８０７３４３号公報）には、切替コックを構成しているコック本体内に収納されて、コック本体の第１流入口から第１流出口または第２流出口に至る第１流路及び第２流路と、これらの第１流路及び第２流路を遮断して第３流出口に至る第３流路とを形成する弁装置が開示されている。この弁装置は、３枚のセラミックディスク、即ち、互いに摺接し合う第１弁体、中央となる第２弁体及び第３弁体の３枚の弁体によって構成するとともに、第２弁体のみを、コック本体に設けた切替ハンドルによって第１弁体及び第３弁体間にて回動可能にしている。また、第１弁体に３個の通孔を形成し、これらの通孔の内の最大２個が同時に連通し得るとともに、第１流路または第２流路を形成する第１溝を第２弁体上に形成し、この第２弁体の反対面に第２溝を形成し、この第２溝に連通したとき第３流路を形成することになる２つの通孔を第３弁体に形成している。これにより、原水ストレート吐出、原水シャワー吐出及び浄水吐出の三方に切替自在な切替コックに弁装置を適用した場合、切替ハンドルをストレート吐出位置に回動させると、第１流入口に供給された水は、最終的に第１流出口に至る第１流路を通り、第１流出口からストレート吐出がなされる。また、切替ハンドルをシャワー吐出位置に回動させると、弁装置内には第２流路が形成され、第１流入口内部に流入した水は、第２流出口に通ずる第２流路を通り、第２流出口からはシャワー吐出がなされる。一方、切替ハンドルを浄水吐出位置に回動させると、第１流路及び第２流路が遮断されて、第３流路のみが形成され、第１流入口から供給された原水は、第４流出口から浄水器に向かって送られ、浄水器にて浄水化され、第２流入口から弁装置内に供給され、第３流路を通して第３流出口から吐出される。ここで、シャワー吐出位置及びストレート吐出位置のいずれの場合も、第２流入口は弁装置によって完全に遮断された状態になる。したがって、特許文献５に記載の弁装置は、仮に浄水器内に残圧があったとしても、第２流入口から浄水が切替コックに供給されることはなく、第３流出口から浄水が漏れ出ることはないという特有の効果を発揮する。
【特許文献１】特開２００４−３４６９５８号公報
【特許文献２】特開２００７−３０９３３３号公報
【特許文献３】特開２０００−２６６１９９号公報
【特許文献４】特開平８−１４５２０９号公報
【特許文献５】特許第３８０７３４３号公報
【発明の開示】
【発明が解決しようとする課題】
【０００５】
ここで、セラミックディスクを使用した弁機構を備える切替弁装置は、全体をコンパクトに設計できる等の利点を有するため好ましいものであるが、特許文献５にも記載のように、従来の２枚のセラミックディスク（１枚の可動ディスクと１枚の固定ディスク）を使用した浄水器接続型の切替コックの場合、原水吐出やシャワー化した原水吐出を行っているときは、浄水吐出は不要であるところ、浄水器にて送られた原水には、その吐出圧力が加わっているため、浄水吐出を行った直後に原水のストレート吐出やシャワー吐出を行うと、使用しないつもりの浄水がその残存圧力によって僅かではあるが浄水の吐出口から意図せず漏れ出ることになり、この意図しない浄水の漏出を防止する必要がある。そこで、特許文献５の弁装置は、上記のような３枚のセラミックディスク（１枚の可動ディスクと２枚の固定ディスク）を使用することにより、浄水の意図しない漏出を防止している。一方、特許文献５に記載の弁装置では、同文献の図５〜図７にそれぞれ示すように、各吐出モード時（原水ストレート吐出時、原水シャワー吐出時及び浄水吐出時）の通水は、第１弁体の１個の通孔を介して行われるため、十分な流量を確保するためには通孔の径を大きくする必要があり、ひいては、第１弁体を含む弁装置全体を大きくする必要がある。この場合でも、特許文献５に記載の弁装置は従来の弁装置に比べて十分に小型化できるものであるが、各吐出モード時に通水量をより大きく確保することができれば、一層の小型が可能となり、特に、キッチンシンク上の水栓に取付ける場合等、取付箇所のスペースを十分に確保できない場合に好適となる。【０００６】
また、近年、年齢、能力、身体的特徴等による差異を問わずに誰でも簡単に利用できるデザインであるユニバーサルデザインが徐々に普及してきているが、一般的な切替コックのハンドルは、使用者の右手による回転操作を前提に設計されており、左利きの人や握力の弱い人等にとって操作性の点で改善する余地がある。更に、上記のように、切替コックの取付箇所はスペースが小さい場合が多く、ハンドル操作のためのスペースも非常に限定される場合が多いため、小さい操作スペースでも十分かつ容易なハンドル操作を可能とするハンドル関連の構成を提供できれば至便である。【０００７】
そこで、本発明は、セラミックディスクを利用する一方で、各吐出モード時の通水量を大きく確保して装置全体のコンパクト化が可能であり、また、左利きの人や握力の弱い人等にとっての操作性を大きく改善してユニバーサルデザインを可能にし、更に、小さい操作スペースでも十分かつ容易なハンドル操作を可能とする切替弁装置の提供を課題とする。
【課題を解決するための手段】
【０００８】
本発明に係る切替弁装置は、弁装置本体、第１の弁機構、第２の弁機構及びハンドルを備える。弁装置本体は、第１の水流入口、前記第１の水流入口とそれぞれ連通する第１の水流出口及び第２の水流出口と、前記第２の水流出口と外部給水装置を介して連通自在な第２の水流入口と、前記第２の水流入口と連通する第３の水流出口とを有する。第１の弁機構は、前記弁装置本体の軸方向一側において、前記第１の水流入口と前記第１の水流出口とを結ぶ経路上に内装配置され、前記第１の水流入口と前記第１の水流出口とを連通状態とする第１の通水位置と、前記第１の水流入口と前記第１の水流出口とを遮断状態とする遮水位置との間で切替自在なセラミックディスクからなる。第２の弁機構は、前記弁装置本体の軸方向他側において、前記第１の水流入口並びに前記第１及び第２の水流出口と遮断された状態で、前記第２の水流入口と前記第３の水流出口をと結ぶ経路上に内装配置され、前記第２の水流入口と前記第３の水流出口とを連通状態とする第２の通水位置と、前記第２の水流入口と前記第３の水流出口とを遮断状態とする遮水位置との間で切替自在なセラミックディスクからなる。ハンドルは、前記第１の弁機構が第１の通水位置にあるときに前記第２の弁機構を遮水位置とすると共に前記第２の弁機構が第２の通水位置にあるときは前記第１の弁機構を遮水位置とするよう前記第１の弁機構と前記第２の弁機構とを同期して回動操作すべく、前記第１の弁機構と前記第２の弁機構とを作動連結する。
【発明の効果】
【０００９】
本発明に係る切替弁装置によれば、セラミックディスクを利用する一方で、各吐出モード時の通水量を大きく確保して装置全体のコンパクト化が可能であり、また、左利きの人や握力の弱い人等にとっての操作性を大きく改善してユニバーサルデザインを可能にし、更に、小さい操作スペースでも十分かつ容易なハンドル操作が可能になるという利点がある。
【図面の簡単な説明】
【００１０】
【図１】図１は本発明の一実施の形態に係る切替弁装置全体の部品構成を示す分解斜視図である。
【図２】図２は本発明の一実施の形態に係る切替弁装置の弁装置本体を原水流入口及び原水吐出口の部品構成と共に示す分解斜視図である。
【図３】図３は本発明の一実施の形態に係る切替弁装置の第１の弁機構としての原水用弁機構の部品構成を示す分解斜視図である。
【図４】図４は本発明の一実施の形態に係る切替弁装置の第２の弁機構としての浄水用弁機構の部品構成を示す分解斜視図である。
【図５】図５は本発明の一実施の形態に係る切替弁装置の外観を背面側（浄水用出入口側）から見て示す斜視図である。
【図６】図６は本発明の一実施の形態に係る切替弁装置の外観を正面側（ハンドル側）から見て示す斜視図である。
【図７】図７は本発明の一実施の形態に係る切替弁装置の第１の弁機構の可動ディスクを示し、（ａ）は平面図、（ｂ）は側面図、（ｃ）は背面図、（ｄ）は斜視図、（ｅ）は（ｃ）のＣ−Ｃ線断面図、（ｆ）は（ｃ）のＤ−Ｄ線断面図である。
【図８】図８は本発明の一実施の形態に係る切替弁装置の第１の弁機構の固定ディスクを示し、（ａ）は平面図、（ｂ）は側面図、（ｃ）は背面図、（ｄ）は斜視図、（ｅ）は（ｃ）のＥ−Ｅ線断面図、（ｆ）は（ｃ）Ｆ−Ｆ線断面図である。
【図９】図９は本発明の一実施の形態に係る切替弁装置の第２の弁機構の可動ディスクを示し、（ａ）は平面図、（ｂ）は側面図、（ｃ）は背面図、（ｄ）は斜視図、（ｅ）は（ａ）のＧ−Ｇ線断面図である。
【図１０】図１０は本発明の一実施の形態に係る切替弁装置の第２の弁機構の固定ディスクを示し、（ａ）は平面図、（ｂ）は側面図、（ｃ）は斜視図である。
【図１１】図１１は本発明の一実施の形態に係る切替弁装置を図５のＡ−Ａ線で切断して示す断面図である。
【図１２】図１２は本発明の一実施の形態に係る切替弁装置を図６のＢ−Ｂ線で切断して示す断面図である。
【図１３】図１３は本発明の一実施の形態に係る切替弁装置の第１の通水位置としてのストレート吐水位置を示し、（ａ）は図１２に対応する断面図、（ｂ）は図１１に対応する断面図である。
【図１４】図１４は本発明の一実施の形態に係る切替弁装置の第２の通水位置としてのシャワー吐水位置を示し、（ａ）は図１２に対応する断面図、（ｂ）は図１１に対応する断面図である。
【図１５】図１５は本発明の一実施の形態に係る切替弁装置の第３の通水位置としての浄水吐水位置を示し、（ａ）は図１２に対応する断面図、（ｂ）は図１１に対応する断面図である。
【図１６】図１６は本発明の一実施の形態に係る切替弁装置の第１〜第３の通水位置における第１及び第２の弁機構の可動ディスクと固定ディスクとの相対的回動角度位置関係を示し、（ａ）は第１の通水位置における第１の弁機構の可動ディスクと固定ディスクとの相対的位置関係を示す斜視図、（ｂ）は第１の通水位置における第１の弁機構固定ディスクに対する可動ディスクの通水孔の対向位置を示す平面図、（ｃ）は第１の通水位置における第２の弁機構の可動ディスクに対する固定ディスクの通水孔の対向位置を示す斜視図、（ｄ）は第２の通水位置における第１の弁機構の可動ディスクと固定ディスクとの相対的位置関係を示す斜視図、（ｅ）は第２の通水位置における第１の弁機構固定ディスクに対する可動ディスクの通水孔の対向位置を示す平面図、（ｆ）は第２の通水位置における第２の弁機構の可動ディスクに対する固定ディスクの通水孔の対向位置を示す斜視図、（ｇ）は第３の通水位置における第１の弁機構の可動ディスクと固定ディスクとの相対的位置関係を示す斜視図、（ｈ）は第３の通水位置における第１の弁機構固定ディスクに対する可動ディスクの通水孔の対向位置を示す平面図、（ｉ）は第３の通水位置における第２の弁機構の可動ディスクに対する固定ディスクの通水孔の対向位置を示す斜視図である。
【符号の説明】
【００１１】
１０：コック本体（弁装置本体）、２４ａ：原水流入口（第１の水流入口）
５０：第１の弁機構、５１：可動ディスク、５１ｂ：通水孔
５２：固定ディスク、５２ａ，５２ｂ：第１の通水孔、５２ｃ，５２ｄ：第２の通水孔
６０：第２の弁機構、６１：可動ディスク、６１ｂ：通水孔、６１ｃ：切欠部
６２：固定ディスク、６２ａ：通水孔、６９：規制片、７０：ハンドル
【発明を実施するための最良の形態】
【００１２】
以下、本発明を実施するための最良の形態（以下、実施の形態という）を説明する。なお、各実施の形態を通じ、同一の部材、要素または部分には同一の符号を付して、その重複する説明は省略する。【００１３】
以下、本発明の一実施の形態に係る切替弁装置について説明する。図１〜図６に示すように、本実施の形態の切替弁装置は、三方弁としての切替コックに具体化され、コック本体１０を備える。コック本体１０は、例えばＡＢＳ樹脂等の合成樹脂により全体を一体成形されたものであり、上下方向に延びる円筒状の外形を有すると共に内部に通水路を形成する本体基部１１を有している。図１に示すように、本体基部１１の上端部は、吐水パイプ（図示略）先端の吐水口を取付けるための短円筒状の流入部１２とされている。なお、流入部１２の内周面には雌螺子が形成されている。一方、本体基部１１の下端部は、前記流入部１２と同軸上となる短円筒状の流出部１３とされている。なお、流出部１３の外周面には雄螺子が形成されている。また、本体基部１１の中央部の右側には短円筒状をなす第１の弁機構収容部１４が右方に突出するよう一体形成されている。一方、本体基部１１の中央部の左側には円筒状をなす第２の弁機構収容部１５が左方に突出するよう一体形成されている。第１の弁機構収容部１４と第２の弁機構収容部１５とは同軸上に配置されている。更に、本体基部１１の中央部の背面側には、円筒状の原水給水部１６及び円筒状の浄水流入部１７が左右に併設してそれぞれ後方に突出するよう一体的に設けられている。また、第２の弁機構収容部１５の下面側の中央部には、短円筒状をなす浄水吐出部１８が下方に突出するよう一体形成されている。【００１４】
図１２に示すように、流入部１２の内周面の雌螺子より下方の位置には段差面が形成されている。流入部１２の内部の段差面には、図２に示すように、パッキン受け２１、ストレーナ２２及びパッキン２３が順に載置して収容されている。そして、取付ナット２４の内周壁の外周面に形成した雄螺子（図示略）を流入部１２の内周面の雌螺子に螺合することにより、取付ナット２４を介して流入部１２に吐水パイプの吐水口（図示略）を着脱自在に取付けるようになっている。なお、パッキン受け２１及びパッキン２３の中心には、それぞれ、円形の通水孔が形成されると共に、取付ナット２４の内周面により原水流入口２４ａが形成されている。そして、取付ナット２４の原水流入口２４ａ、パッキン２３の通水孔、ストレーナ２２及びパッキン受け２１の通水孔を介して、吐水パイプからの原水が本体基部１１内に流入するようになっている。【００１５】
図１２に示すように、流出部１３の内部にはリング状溝を外周に有する平坦面状の載置面１３ａが形成されている。流出部１３の載置面１３ａには、そのリング状溝にＯリング３１が嵌合して収容され、更に、整流板３２及び泡沫内芯３３が順に載置して収容されている。そして、流出部１３の外周面の雄螺子の基端にＯリング３４を外嵌し、シャワーキャップ３４の外周壁３４ａの内周面に形成した雌螺子を流出部１３の外周面の雄螺子に螺合することにより、シャワーキャップ３４を流出部１３に取付けている。シャワーキャップ３３は、中央部の円形状断面のストレート吐出空間３４ａの外周側に、リング状断面のシャワー吐出空間３４ｂを配置したものであり、ストレート吐出空間３４ａの内部に泡沫内芯３３を嵌合して収容すると共に、ストレート吐出空間３４ａの内部において泡沫内芯３３とＯリング３１との間に、整流板３２を配置している。【００１６】
また、図１１に示すように、原水給水部１６は、プラグ筒状の給水部１６ａ及び取付ナット状のホースジョイント１６ｂからなり、給水部１６ａの外周面の雄螺子にホースジョイント１６ｂを螺合することにより、外部給水装置としての浄水器へ至る給水ホース（図示略）を着脱自在に取付けるようになっている。同様に、浄水流入部１７は、プラグ筒状の給水部１７ａ及び取付ナット状のホースジョイント１７ｂからなり、給水部１７ａの外周面の雄螺子にホースジョイント１７ｂを螺合することにより、浄水器からの浄水ホース（図示略）を着脱自在に取付けるようになっている。また、原水給水部１６の基端の段差状の凹部内には、水流の流量調節用の流量調整弁４１が収容保持されている。更に、図２及び図１２に示すように、浄水吐出部１８の内部には、平坦面状の載置面が形成されている。浄水吐出部１８の載置面には、浄水側パッキン４２、浄水側整流器４３及びストレーナ４４が順に載置して収容されている。そして、浄水吐出部１８の外周面の雄螺子の基端にＯリング４５を外嵌し、浄水側キャップ４６の内周面に形成した雌螺子を浄水吐出部１８の外周面の雄螺子に螺合することにより、浄水側キャップ４６を浄水吐出部１８に取付けている。【００１７】
ここで、本実施の形態の切替弁装置は、上記のように、コック本体１０の流入部１２にパッキン受け２１、ストレーナ２２、パッキン２３及び取付ナット２４を装着すると共に、流出部１３にＯリング３１、整流板３２、泡沫内芯３３及びシャワーキャップ３４を装着し、コック本体１０に原水給水部１６及び浄水流入部１７を一体的に設け、かつ、原水給水部１６に流量調整弁４１を内装すると共に、浄水吐出部１８に浄水側パッキン４２、浄水側整流器４３、ストレーナ４４、Ｏリング４５及び浄水側キャップ４６を装着することにより、弁装置本体を構成している。このとき、流入部１２の取付ナット２４の原水流入口２４ａが第１の水流入口を構成し、シャワーキャップ３４のストレート吐出空間３４ａの下端開口乃至泡沫内芯３３の下流端（吐出側端面）の吐出口が第１の水流出口としてのストレート吐出口を構成し、原水給水部１６の先端の開口が第２の水流出口としての原水給水口を構成し、浄水流入部１７の先端の開口が第２の水流入口としての浄水流入口を構成し、浄水吐出部１８の浄水側キャップ４６の底壁の円形開口が第３の水流出口としての浄水吐出口を構成し、流出部１３のシャワーキャップ３４のシャワー吐出空間３４ｂの下端の小孔を多数形成した底壁が第４の水流出口としてのシャワー吐出口を構成している。【００１８】
また、本体基部１１の内部には、図１２に示すように、原水流入路１１ａ、１個のストレート吐出用流路１１ｂ及び一対のシャワー吐出用流路１１ｃがそれぞれ形成されている。本体基部１１の原水流入路１１ａは、流入部１２側に形成され、流入部１２内の通水路と連通すると共に、ストレート吐出用流路１１ｂの上流端及びシャワー吐出用流路１１ｃの上流端と（後述するストレート吐出用連絡路１１ｆ及びシャワー吐出用連絡路１１ｇを介して）それぞれ連通している。本体基部１１のストレート吐出用流路１１ｂの下流端は、流出部１３の載置面１３ａの中央で（例えば、直線スリット状となって）開口している。したがって、本体基部１１のストレート吐出用流路１１ｂの下流端は、流出部１３内の整流板３２の中央の整流孔を介して、シャワーキャップ３４のストレート吐出空間３４ａ内の泡沫内芯３３の上流端（流入側端面）と対向する。これにより、流入部１２の原水流入口２４ａから本体基部１１の原水流入路１１ａ及びストレート吐出用流路１１ｂを経て流出部１３のストレート吐出口に至るストレート吐出用の流路がコック本体１０の内部に形成される。また、本体基部１１のシャワー吐出用流路１１ｃの下流端は、流出部１３の載置面の外周側に若干離間した位置で（例えば、半円形スリット状となって）開口している。したがって、本体基部１１のシャワー吐出用流路１１ｃの下流端は、流出部１３のシャワーキャップ３４のシャワー吐出空間３４ｂと対向する。これにより、流入部１２の原水流入口２４ａから本体基部１１の原水流入路１１ａ及びシャワー吐出用流路１１ｃを経て流出部１３のシャワー吐出口に至るシャワー吐出用の流路がコック本体１０の内部に形成される。【００１９】
一方、本体基部１１の内部には、図１１に示すように、原水給水用流路１１ｄ及び浄水吐出用流路１１ｅがそれぞれ形成されている。本体基部１１の原水給水用流路１１ｄは、上流端が前記原水流入路１１ａと連通すると共に、下流端が原水給水部１６の内部の通水路の上流端に配置された流量調整弁４１の弁孔と連通している。これにより、流入部１２の原水流入口２４ａから本体基部１１の原水給水用流路１１ｄを経て原水給水部１６の原水給水口に至る原水給水用の流路がコック本体１０の内部に形成される。また、本体基部１１の浄水吐出用流路１１ｅは、上流端が前記浄水流入部１７の基端の開口と連通すると共に、下流端が第２の弁機構収容部１５の内部空間と連通している。なお、第２の弁機構収容部１５の円形断面の内部空間は、浄水吐出部１８の円形断面の内部空間と連通している。これにより、浄水流入部１７の浄水流入口から本体基部１１の浄水流入用流路１１ｅ及び第２の弁機構収容部１５の内部空間を経て浄水吐出部１８の浄水吐出口に至る浄水吐出用の流路がコック本体１０の内部に形成される。【００２０】
［第１の弁機構］
前記第１の弁機構収容部１４の円形断面の内部空間には、第１の弁機構５０が収容して配置される。第１の弁機構５０は、弁装置本体の軸方向一側である第１の弁機構収容部１４の内部において、第１の水流入口としての原水流入口２４ａと第１の水流出口としてのストレート吐出口（ストレート吐出空間３４ａの下端）とを結ぶ経路（通水路）上に内装配置され、原水流入口２４ａとストレート吐出口とを連通状態とする第１の通水位置と、原水流入口２４ａとストレート吐出口とを遮断状態とする遮水位置との間で切替自在であり、両位置の間で切替動作される。ここで、本実施の形態の切替弁装置は、水流出口として、ストレート吐出口（第１の水流出口）に加え、原水給水口（第２の水流出口）、浄水吐出口（第３の水流出口）及びシャワー吐出口（第３の水流出口）を設け、前記シャワー吐出口をストレート吐出口に隣接して配置している。即ち、前記弁装置本体は、更に、前記第１の水流出口としてのストレート吐出口に隣接して、当該ストレート吐出口とは（隔壁としてのシャワーキャップ３４の内側壁を介して）遮断された状態で前記原水流出口２４ａと連通する第４の水流出口としてのシャワー吐出口を有している。【００２１】
詳細には、第１の弁機構５０は、可動ディスク５１、固定ディスク５２、切替流路用パッキン５３及び第１の弁体５４を有する。可動ディスク５１は、コック本体１０の原水流入口２４ａとストレート吐出口とを結ぶ経路及び原水流入口２４ａとシャワー吐出口とを結ぶ経路の上流側に配置される。また、固定ディスク５２は、コック本体１０の原水流入口２４ａとストレート吐出口とを結ぶ経路及び原水流入口２４ａとシャワー吐出口とを結ぶ経路において可動ディスク５１よりも下流側に配置される。切替流路用パッキン５３は、コック本体１０の原水流入口２４ａとストレート吐出口とを結ぶ経路及び原水流入口２４ａとシャワー吐出口とを結ぶ経路において固定ディスク５２よりも更に下流側に配置される。更に、コック本体１０の第１の弁機構収容部１４の内部空間において円形開口側の位置（可動ディスク５１よりも開口側の位置）には、前記第１の弁体５４が可動ディスク５１と同軸状に配置されている。一方、第１の弁機構収容部１４の開口には段付円筒状の第１の弁体押え５５が水密に密嵌して装着されている。第１の弁体押え５５の内部には短円筒状の第１のねじ押え５６がＯリング等のシール部材５７ａ，５７ｂを介して水密に装着されている。また、第１の弁体押え５５の一端（外端）の円形開口には位置決めリング５８が装着されている。更に、位置決めリング５８の内側には第１のハンドル押え５９が挿入されて、第１の弁体押え５５内の第１のねじ押え５６に装着されるようになっている。【００２２】
より詳細には、可動ディスク５１は、図７に示すように、コック本体１０の第１の弁機構収容部１４の内径（内周面の直径）と同一の直径を有する円盤状のセラミックディスクからなり、その外周面が第１の弁機構収容部１４の内周面に密接させた状態で第１の弁機構収容部１４に収容され、その外周面が第１の弁機構１４の内周面上を摺動自在となっている。可動ディスク５１の一側面（第１の弁体５４と対向する面）には、方形凹部状乃至円弧凹部状をなす一対の係合凹部５１ａが、その周方向に１８０度の間隔をおいて形成されている。更に、可動ディスク５１には、前記係合凹部５１ａに対して周方向に９０度の間隔を置いた位置に、所定直径の円形断面を有する一対の通水孔５１ｂが軸方向に貫通して形成されている。両通水孔５１ｂは、可動ディスク５１の周方向に１８０度の間隔を置いて、可動ディスク５１の中心に対して点対称となるよう配置されている。【００２３】
また、固定ディスク５２は、図８に示すように、小判形状（可動ディスク５１と同一直径の円盤形状の１８０度対向する円弧状部分を共に切除した形状）のセラミックディスクからなり、その円弧状の外周面（切除していない円弧状部分の外周面）を第１の弁機構収容部１４の内周面に密接させた状態で第１の弁機構収容部１４に収容されている。固定ディスク５２には、第１の通水孔５２ａ及び第１の通水孔５２ｂが、それぞれ、軸方向に貫通して形成されている。固定ディスク５２の第１の通水孔５２ａは、固定ディスク５２の円弧状の外周面に沿って周方向に所定角度範囲（図示の例では第１の通水孔５２ｂの両端の円形部分の中心間の角度θ１＝４５度）だけ当該円弧状の外周面と同一曲率で若干湾曲して延びる長孔状となっている。また、当該長孔状の第１の通水孔５２ａの幅は、可動ディスク５１の通水孔５１ｂの直径と同一寸法となっている。一方、前記円形の第１の通水孔５２ｂは、可動ディスク５１の通水孔５１ｂより若干小径の円形断面の孔となっている。また、固定ディスク５２には、その周方向に１８０度の間隔を置いて、固定ディスク５２の中心に対して点対称となるよう、第２の通水孔５２ｃ及び第２の通水孔５２ｄが、それぞれ、軸方向に貫通して形成されている。固定ディスク５２の第２の通水孔５２ｃは、可動ディスク５１の通水孔５１ｂより若干小径の円形断面の孔となっている。一方、固定ディスク５２の第２の通水孔５２ｄは、前記長孔状の第１の通水孔５２ａの幅と同一の直径、即ち、可動ディスク５１の通水孔５１ｂと同一直径の円形断面の孔となっている。第２の通水孔５２ｃ，５２ｄは、前記第１の通水孔５２ａ，５２ｂから周方向（図８（ａ）の時計回り方向）に所定角度を置いて配置されている。更に、固定ディスク５２の一側面（可動ディスク５１との対向面側）において、一方の円弧状部分（第１の通水孔５２ａ及び第２の通水孔５２ｃ側の部分）と他方の円弧状部分（第１の通水孔５２ｂ及び第２の通水孔５２ｄ側の部分）との間には、固定ディスク５２の一対の直線部分（一対の円弧間の部分）を掛け渡して、異形平面形状をなす凹溝状の遮蔽溝５２ｅ，５２ｆ，５２ｇ，５２ｈ，５２ｉが形成されている。遮蔽溝５２ｅ，５２ｆ，５２ｇ，５２ｈ，５２ｉは、その全面にわたって均一な厚み（固定ディスク５２の厚みの数分の１、好ましくは、１／８〜１／１０程度の厚み）を有している。また、遮蔽溝５２ｅ，５２ｆ，５２ｇ，５２ｈ，５２ｉは、長さ方向中央（固定ディスク５２の中心部分）に異形平面形状の拡大部５２ｅを有すると共に、第２の通水孔５２ａ，５２ｂに対応する部分に前記拡大部５２ｅから狭まる一対の狭窄部５２ｆ，５２ｇを有し、更に、当該一対の狭窄部５２ｆ，５２ｇから両開放端（固定ディスク５２の一対の直線部分）に向かってテーパー状に拡径する一対の拡径部５２ｈ，５２ｉを有した異形平面形状となっている。【００２４】
ここで、固定ディスク５２の第１の通水孔５２ａ，５２ｂと第２の通水孔５２ｃ，５２ｄと遮蔽溝５２ｅとは、以下のような相対配置角度で互いに配置されている。即ち、可動ディスク５１及び固定ディスク５２を互いに同軸上に重ね合わせて、可動ディスク５１を固定ディスク５２に対して所定方向（図８（ａ）の時計回り方向）に相対回動していくと、まず、可動ディスク５１の一対の通水孔５１ｂが、第１の回動位置（図１６（ａ）及び（ｂ）の位置）で固定ディスク５２の一対の第１の通水孔５２ａ，５２ｂとそれぞれ連通する。このとき、可動ディスク５１の一方の通水孔５１ｂの直径は、固定ディスク５２の第１の通水孔５２ａの幅と同一であるため、可動ディスク５１の一方の通水孔５１ｂは固定ディスク５２の一方の第１の通水孔５２ａの長さ方向一端部（第２の通水孔５２ｃ側の端部）に完全に重なって配置され、可動ディスク５１の一方の通水孔５１ｂの周縁が、固定ディスク５２の一方の第１の通水孔５２ａの長さ方向一端部周縁と完全に重なって位置する。一方、可動ディスク５１の他方の通水孔５１ｂは、固定ディスク５２の他方の第１の通水孔５２ｂより若干大径であるため、可動ディスク５１の他方の通水孔５１ｂの周縁が、固定ディスク５２の他方の第１の通水孔５２ｂの周縁より若干外側に一定の微小間隔を置いて位置する。【００２５】
次に、第１の回動位置から更に可動ディスク５１を固定ディスク５２に対して同一方向に所定角度（図示の例では４５度）だけ相対回動すると、可動ディスク５１の一対の通水孔５１ｂが第２の回動位置（図１６（ｄ）及び（ｅ）の位置）となり、固定ディスク５２の一対の第２の通水孔５２ｃ，５２ｄとそれぞれ連通する。即ち、固定ディスク５２の第２の通水孔５２ｃ，５２ｃは、第１の通水孔５２ａ，５２ｂに対して前記所定角度（図示の例では４５度）の間隔を置いて配置されている。このとき、可動ディスク５１の一方の通水孔５１ｂは、固定ディスク５２の一方の第２の通水孔５２ｃより若干大径であるため、可動ディスク５１の一方の通水孔５１ｂの周縁が、固定ディスク５２の一方の第２の通水孔５２ｃの周縁より若干外側に一定の微小間隔を置いて位置する。一方、可動ディスク５１の他方の通水孔５１ｂは、固定ディスク５２の他方の第２の通水孔５２ｄと同一径であるため、固定ディスク５２の他方の第２の通水孔５２ｄに完全に整合して配置され、可動ディスク５１の他方の通水孔５１ｂの周縁が、固定ディスク５２の他方の第２の通水孔５２ｄの周縁と完全に一致して配置される。【００２６】
更に、第２の回動位置から更に可動ディスク５１を固定ディスク５２に対して同一方向に略同一の所定角度だけ相対回動すると、可動ディスク５１の一対の通水孔５１ｂが第３の回動位置（図１６（ｇ）及び（ｈ）の位置）となり、固定ディスク５２の遮蔽溝の一対の狭窄部５２ｈ，５２ｉ、または、一対の狭窄部５２ｈ，５２ｉの近傍位置にそれぞれ対向配置される。即ち、固定ディスク５２の遮蔽溝は、一対の狭窄部５２ｈ，５２ｉが第２の通水孔５２ｃ，５２ｄに対して前記所定角度（図示の例では４５度）の間隔を置いて配置されるよう形成されている。【００２７】
前記切替流路用パッキン５３は、図３に示すように、固定ディスク５２の他側面の第１及び第２の通水孔５２ａ，５２ｂ，５２ｃ，５２ｄ以外の中実部分に対応する形状を有している。具体的には、切替流路用パッキン５３は、固定ディスク５２の第１の通水孔５２ａと同一形状の長孔５３ａを形成する第１の部分（長孔５３ａの周縁部分）と、固定ディスク５２の第１の通水孔５２ｂと同一形状の円形孔５３ｂを形成する第２の部分（円形孔５３ｂの周縁部分）と、固定ディスク５２の第２の通水孔５２ｃと同一形状の円形孔５３ｃを形成する第３部分（円形孔５３ｃの周縁部分）と、固定ディスク５２の第２の通水孔５２ｄと同一形状の円形孔５３ｄを形成する第４の部分（円形孔５３ｄの周縁部分）と、固定ディスク５２の遮蔽溝の拡大部５２ｅ及び狭窄部５２ｆ，５２ｇに対応する形状の異形孔５３ｅを形成する第５の部分（異形孔５３ｅの周縁部分）とからなり、長孔５３ａ、円形孔５３ｂ、円形孔５３ｃ、円形孔５３ｄが、それぞれ、固定ディスク５２の第１の通水孔５２ａ、５２ｂ及び第２の通水孔５３ｃ，５３ｄと連通する位置に配置されるよう、前記第１の部分と第３の部分とを一部で互いに連結すると共に、第２の部分と第４の部分とを一部で互いに連結し、更に、第５の部分によりそれらを互いに一体的に連結した異形形状をなしている。【００２８】
前記切替流路用パッキン５３は、図１１及び図１２に示すように、切替コック１０の第１の弁機構収容部１４の基端開口に対向する中実部分乃至隔壁の平坦面に載置して配置される。このとき、図１２に示すように、コック本体１０の内部では、第１の弁機構収容部１４の前記平坦面において、前記切替流路用パッキン５３の長孔５３ａと整合する位置で、前記ストレート吐出用流路１１ｂの上流端から連通して（直交状態で）延びる第１のストレート吐出用連絡路１１ｆが、切替流路用パッキン５３の長孔５３ａと同一開口形状となるよう開口している。即ち、第１のストレート吐出用連絡路１１ｆの断面形状は、切替流路用パッキン５３の長孔５３ａ（及び固定ディスク５２の第１の通水孔５２ａ）と同一断面形状となっている。また、図示はしないが、コック本体１０の内部では、第１の弁機構収容部１４の前記平坦面において、切替流路用パッキン５３の円形孔５３ｂと整合する位置で、ストレート吐出用流路１１ｂの途中位置（上流端と下流端との間の略中央位置）から連通して（直交状態で）延びる第２のストレート吐出用連絡路が、切替流路用パッキン５３の円形孔５３ｂと同一開口形状となるよう開口している。即ち、第２のストレート吐出用連絡路の断面形状は、切替流路用パッキン５３の円形孔５３ｂ（及び固定ディスク５２の第１の通水孔５２ｂ）と同一断面形状となっている。一方、図１１に示すように、コック本体１０の内部では、第１の弁機構収容部１４の平坦面において、切替流路用パッキン５３の円形孔５３ｃと整合する位置で、前記半円スリット上のシャワー吐出用流路１１ｃの一端から中央よりの位置から連通して（交差状態で）延びる第１のシャワー吐出用連絡路１１ｇが、切替流路用パッキン５３の円形孔５３ｃと同一開口形状となるよう開口している。即ち、第１のシャワー吐出用連絡路１１ｇの断面形状は、切替流路用パッキン５３の円形孔５３ｃ（及び固定ディスク５２の第２の通水孔５２ｃ）と同一断面形状となっている。また、コック本体１０の内部では、第１の弁機構収容部１４の平坦面において、切替流路用パッキン５３の円形孔５３ｄと整合する位置で、シャワー吐出用流路１１ｃの他端から中央よりの位置から連通して（交差状態で）延びる第２のシャワー吐出用連絡路１１ｇが、切替流路用パッキン５３の円形孔５３ｄと同一開口形状となるよう開口している。即ち、第２のシャワー吐出用連絡路ｇの断面形状は、切替流路用パッキン５３の円形孔５３ｄ（及び固定ディスク５２の第２の通水孔５２ｄ）と同一断面形状となっている。【００２９】
前記第１の弁体５４は、図３に示すように、操作部５４ａ、一対の係止凸部５４ｂ、間隔保持突起５４ｃ及び栓棒５４ｄを一体形成したものである。操作部５４ａは、可動ディスク５１と同一直径の円盤状をなしている。一対の係止部５４ｂは、操作部５４ａの一側面（可動ディスク５１との対向面）の外周部に、可動ディスク５１の一対の係合凹部５１ａと同一の角度間隔（１８０度の角度間隔）を置いて形成され、操作部５４ａの軸方向に沿って一側方（可動ディスク５１側）に所定長だけ突出している。各係止凸部５４ｂは、可動ディスク５１の係合凹部５１ａの形状と同一の方形ブロック状乃至方形突起状をなしている。また、係止凸部５４ｂの突出長は、可動ディスク５１の係合凹部５１ａの深さより所定の余分長だけ大きい長さに設定されている。更に、間隔保持突起５４ｃは、操作部５４ａの一側面の外周部において、係止凸部５４ｂ以外の位置（好ましくは係止凸部５４ｂの近傍位置）に形成されている。間隔保持突起５４ｃは、前記操作部５４ａの軸方向に沿って可動ディスク５１側に向かって前記係止凸部５４ｂの余分長と同一長だけ突出している。また、栓棒５４ｄは、操作部５４ａの他側面の中心から軸方向に他側方に向かって所定長だけ突出する略柱状をなしている。栓棒５４ｄは、円の一部の円弧状部分（弓形部分）を切除した断面形状となっている。そして、一対の係止部５４ｂを可動ディスク５１の一対の係合凹部５１ａにそれぞれ嵌合して係止すると、可動ディスク５１が第１の弁体５４に対して軸方向への着脱自在、かつ、周方向への相対回動不能に作動連結され、栓棒５４ｄを正逆回転することにより、第１の弁体５４と一体的に回動するようになっている。このとき、可動ディスク５１及び第１の弁体５４の操作部５４ａの対向面の間には、係止凸部５４ｂの余分長及び間隔保持突起５４ｃの突出長と同一の間隙が形成され、当該間隙が、可動ディスク５１と第１の弁体５４の操作部５４ａとの間で、可動ディスク５１の通水孔５１ｂと連通する通水空間を形成するようになっている。【００３０】
前記第１の弁体押え５５は、図３に示すように、大径短円筒状の支持部５５ａの一側面に小径短円筒状の挿着部５５ｆを一体形成した段付円筒状をなす。支持部５５ａは、コック本体１０の第１の弁機構収容部１４の外径（外周面の直径）と同一の外径を有している。支持部５５ａの他側面の円形開口には段差部が形成されて、当該段差部の底面により若干内方の位置にリング板状の段差面５５ｂが設けられると共に、当該段差部の内周面には周方向に一定角度間隔（図示の例では４５度間隔）を置いて複数（図示の例では８個）の位置決め溝５５ｃが形成されている。位置決め溝５５ｃは、支持部５５ａの軸方向に沿って段差面５５ｂまで延びる短い直線溝状をなす。また、支持部５５ａの外周面の上側部分には、所定角度間隔（図示の例では４５度間隔）を置いて３個の目印突起５５ｄが形成されている。目印突起５５ｄは、支持部５５ａの軸方向に沿って延びる直線リブ状をなす。なお、図示の例では、前記位置決め溝５５ｃのうちの３個は、前記３個の目印突起の５５ｄと同一角度位置にそれぞれ形成され、当該３個の位置決め溝５５ｃに対して他の３個の位置決め溝５５ｃが１８０度間隔でそれぞれ対向すると共に、残り２個の位置決め溝５５ｃが、これら３個ずつの位置決め溝５５ｃ間に４５度間隔で配置されている。更に、支持部５５ａの内周面の前記段差面５５ｂより奥側には雌螺子５５ｅが形成されている。一方、挿着部５５ｆは、コック本体１０の第１の弁機構収容部１４の内径（内周面の直径）と同一の外径を有している。また、挿着部５５ｆの外周面には、一定角度間隔（図示の例では９０度間隔）を置いて複数（図示の例では４個）の位置決め突起５５ｇが形成されている。位置決め突起５５ｇは、挿着部５５ｆの軸方向に沿って延びる直線リブ状をなす。支持部５５ａの内径と挿着部５５ｇの内径は同一とされ、第１の弁体押え５５の軸方向に貫通する円形断面の挿通孔を形成している。なお、図２に示すように、コック本体１０の第１の弁機構収容部１４の円形開口の内周面には、第１の弁体押え５５の挿着部５５ｆの位置決め突起５５ｇと対応する位置に、位置決め突起５５ｇと対応する直線凹溝状をなす位置決め溝１４ａが軸方向に沿って形成されている。即ち、第１の弁機構収容部１４の円形開口の内周面には、一定角度間隔（図示の例では９０度間隔）を置いて複数（図示の例では４個）の位置決め溝１４ａが形成されている。そして、挿着部５５ｆの位置決め突起５５ｇを第１の弁機構収容部１４の位置決め溝１４ａに嵌合して案内し、第１の弁体押え５５の挿着部５５ｆを第１の弁機構収容部１４の円形開口から内部に挿入することにより、第１の弁体押え５５を第１の弁機構収容部１４に回動不能に装着するようになっている。このとき、図５及び図６に示すように、第１の弁体押え５５の３個の目印突起５５ｄのうち中央部の目印突起５５ｄが、第１の弁機構収容部１４の上側中央位置に対応して配置され、その両側の２個の目印突起５５ｄが、中央の目印突起５５ｄより４５度下方の位置にそれぞれ配置されるようになっている。【００３１】
前記第１のねじ押え５６は、図３に示すように、第１の弁体押え５５の支持部５５ａの内径に対応する外径の円筒状をなしている。第１のねじ押え５６の一側面の中心部には正六角形の断面を有する装着凹部５６ａが形成されている。また、第１のねじ押え５６の軸方向一側部の外周面には、第１の弁体押え５５の支持部５５ａの雌螺子５５ｅに螺入及び螺退自在な雄螺子５６ｂが形成されている。更に、第１のねじ押え５６の軸方向他側部（雄螺子５６ｂが形成されていない部分）は、第１の弁体押え５５の挿着部５５ｇの内周面に密接する密接部５６ｃとなっている。第１のねじ押え５６は、第１の弁体押え５５内に挿入し、雄螺子部５６ｂを雌螺子部５５ｅに螺合して装着するようになっている。密接部５６ｃの中心部には円形断面の挿通孔５６ｄが貫通形成されている。密接部５６ｃの挿通孔５６ｄの直径は、前記第１の弁体５４の栓棒５４ｄの直径と略同一に設定され、図１１及び図１２に示すように、栓棒５４ｄを密接部５６ｃの挿通孔５６ｄに挿通して、栓棒５４ｄの基端部の外周面を密接部５６ｃの挿通孔５６ｄの周面に密接させるようになっている。第１のねじ押え５６の密接部５６ｃの基端部（雄螺子部５６ｂとの境界部）のリング状溝内には、Ｏリング等のシール部材５７ａが密嵌して装着されている。また、図１１及び図１２に示すように、密接部５６ｃの先端の平坦面のリング状溝内には、Ｏリング等のシール部材５７ｂが密嵌して装着されている。【００３２】
前記位置決めリング５８は、図３、図１１及び図１２に示すように、第１の弁体押え５５の支持部５５ａの円形開口の段差部と略同一直径の段付リング状をなし、その大径部が支持部５５ａの段差部に挿着されて段差面５５ｂに当接支持されると共に、小径部が支持部５５ａ内に若干突出して配置される。また、位置決めリング５８の外周面には、その軸方向に沿って延びる位置決め突起５８ａが、第１の弁体押え５５の位置決め溝５５ｃの２倍の角度間隔（図示の例では９０度間隔）で、位置決め溝５５ｃの半分の数（図示の例では４個）だけ一体形成されている。位置決め突起５８ａは、第１の弁体押え５５の位置決め溝５５ｃに対応する短い直線リブ状をなす。一方、位置決めリング５８の内周面には、その軸方向に沿って延びる直線リブ状の嵌合突起５８ｂが１８０度の角度を置いて対をなすよう一体形成されている。なお、図示の例では、位置決め突起５８ａは、一対の嵌合突起５８ｂの周方向両側に４５度の角度をおいてそれぞれ２個ずつ形成されている。そして、位置決めリング５８は、図５及び図６に示す状態で第１の弁機構収容部１４に取付けた第１の弁体押え５５に対し、一対の嵌合突起５８ｂを水平方向に配置した状態で、位置決め突起５８ａを第１の弁体押え５５の位置決め溝５５ｃに嵌合して案内し、位置決めリング５８を第１の弁体押え５５の円形開口の段差部に挿着するようになっている。このとき、各位置決め突起５８ａが第１の弁体押え５５の各位置決め溝５５ｃ内に嵌合しているが、位置決めリング５８に対して正逆方向の回動力を伝達することにより、各位置決め突起５８ａが弾性変形して第１の弁体押え５５の各位置決め溝５５ｃから離脱し、第１の弁体押え５５の円形開口の内周面上を摺接移動し、隣の位置決め溝５５ｃに来たときに弾性復帰して当該位置決め溝５５ｃ内に嵌合し、再度位置決めされるようになっている。即ち、位置決めリング５８は、正逆方向の回動力の付与によって、第１の弁体押え５５の円形開口内を正逆方向に回動して、位置決め溝５５ｃ乃至位置決め突起５８ａの配置角度間隔ごとに位置決めされるようになっている。【００３３】
前記第１のハンドル押え５９は、図３に示すように、フランジ部５９ａ、固着部５９ｂ、回動部５９ｃ及び連結部５９ｅを一体形成してなる。フランジ部５９ａは、正円形の一部に略正三角形を合体した涙滴状の平板状をなす。固着部５９ｂは、フランジ部５９ａと相似形状で、かつ、若干小寸法の涙滴状の断面形状を有するブロック状をなし、固着部５９ｂの一側面の外周縁からフランジ部５９ａが外方に張り出し形成されている。回動部５９ｃは、固着部５９ｂの他側面の円形部分の中央部から軸方向に突出形成される円柱状をなす。回動部５９ｃは、位置決めリング５８の内径と略同一の外径を有している。また、回動部５９ｃの外周面には、位置決めリング５８の一対の嵌合突起５８ｂと同一の角度位置となるよう、１８０度の間隔を置いて、一対の嵌合溝５９ｄが形成されている。嵌合溝５９ｄは、位置決めリング５８の嵌合突起５８ｂに対応する直線溝状をなし、回動部５９ｃの軸方向に沿って延びている。連結部５９ｅは、回動部５９ｃの先端面の中心部から軸方向に突出形成される。連結部５９ｅは、第１のねじ押え５６の装着凹部５６ａ内を回動自在となるよう、当該装着凹部５６ａより小径の外径を有する円筒状をなし、装着凹部５６ａ内に収容されるようになっている。また、連結部５９ｅの中心には、図１１及び図１２に示すように、軸方向に沿って延びる連結孔５９ｆが形成されている。連結部５９ｅの連結孔５９ｆは、前記第１の弁体５４の栓棒５４ｄと同一断面形状をなしている。そして、第１の弁体押え５５に挿着した位置決めリング５８の嵌合突起５８ｂを一対の嵌合溝５９ｄに嵌合して案内することにより、第１のハンドル押え５９を位置決めリング５８に対して相対回動不能に作動連結するようになっている。このとき、連結部５９ｅを第１のねじ押え５６の装着凹部５６ａ内に収容するようになっている。また、このとき、連結部５９ｅの連結孔５９ｆに第１の弁体５４の栓棒５４ｄを回動不能に挿着して、第１のハンドル押え５９に対して第１の弁体５４を相対回動不能に作動連結するようになっている。【００３４】
そして、本実施の形態の切替弁装置は、コック本体１０において第１の弁体収容部１４内の平坦面に、切替流路用パッキン５３、固定ディスク５２及び可動ディスク５１を挿入して収容する。このとき、切替流路用パッキン５３は、その長孔５３ａ、円形孔５３ｂ、円形孔５３ｃ及び円形孔５３ｄが、それぞれ、コック本体１０内の前記平坦面の第１及び第２のストレート吐出用連絡路１１ｆ並びに第１及び第２のシャワー吐出用連絡路１１ｇと整合するよう、コック本体１０内の当該平坦面に載置して固定的に配置保持される。また、固定ディスク５２は、第１の通水孔５２ａ，５２ｂ及び第２の通水孔５２ｃ，５２ｄが、それぞれ、切替流路用パッキン５３の長孔５３ａ、円形孔５３ｂ、円形孔５３ｃ及び円形孔５３ｄと整合し、かつ、当該切替流路用パッキン５３に弾性的に密接した状態で、第１の弁体収容部１４内（その基端部）に固定的に配置保持される。即ち、コック本体１０の第１の弁体収容部１４の基端側開口に対応する部位には、切替流路用パッキン５３の外径に対応するパッキン収容部と、固定ディスク５２の外径に対応する固定ディスク収容部とが、それぞれ形成され、当該パッキン収容部に切替流路用パッキン５３を密嵌保持し、当該固定ディスク収容部に固定ディスク５２を密嵌保持している。次に、可動ディスク５１は、第１の弁体収容部１４の円形断面の内周面に回動自在に挿入して配置され、固定ディスク５１上に密接して載置される。この状態で、前記第１の弁体５４が、その操作部５４ａ側から第１の弁体収容部１４内に収容され、一対の係止凸部５４ｂを可動ディスク５１の一対の係合凹部５１ａにそれぞれ嵌合係止して、可動ディスク５１を周方向（正逆回転方向）に一体回動するよう作動連結する。次に、上記したように、前記第１の弁体押え５５が、目印突起５５ｄを上側として第１の弁体収容部１４の円形開口に装着される共に、第１のねじ押え５６が、その挿通孔５６ｄに前記第１の弁体５４の栓棒５４ｄを挿通した状態で、第１の弁体押え５５内に装着される。次に、位置決めリング５８が、嵌合突起５８ｂを水平状態として、第１の弁体押え５５の円形開口に装着される。その後、第１のハンドル押さえ５９が、第１のねじ押え５６及び位置決めリング５８に対して装着され、後述するハンドル６１の一端を作動連結するようになっている。【００３５】
［第２の弁機構］
前記第２の弁機構収容部１５の円形断面の内部空間には、第２の弁機構６０が収容して配置される。第２の弁機構６０は、弁装置本体の軸方向他側である第２の弁機構収容部１５の内部において、第１の水流入口としての原水流入口２４ａ並びに前記第１水流出口としてのストレート吐出口及び第２の水流出口としての原水給水口と、コック本体１０内の隔壁等により遮断された状態で、かつ、前記第１の弁機構５０と回動軸が同軸上となるよう、第２の水流入口としての浄水流入口と第３の水流出口としての浄水吐出口とを結ぶ経路（通水路）上に内装配置され、浄水流入口と浄水吐出口とを連通状態とする第２の通水位置と、浄水流入口と浄水吐出口とを遮断状態とする遮水位置との間で切替自在であり、両位置の間で切替動作される。詳細には、第２の弁機構６０は、可動ディスク６１、固定ディスク６２、Ｏリング等のシール部材６３及び第２の弁体６４を有する。可動ディスク６１は、コック本体１０の浄水流入口と浄水吐出口とを結ぶ経路の上流側に配置される。また、固定ディスク６２は、コック本体１０の浄水流入口と浄水吐出口とを結ぶ経路において可動ディスク６１よりも下流側に配置される。シール部材６３は、コック本体１０の浄水流入口と浄水吐出口とを結ぶ経路及び原水流入口２４ａとシャワー吐出口とを結ぶ経路において可動ディスク６１よりも更に上流側に配置される。更に、コック本体１０の第２の弁機構収容部１５の内部空間において円形開口側の位置（可動ディスク６１よりも開口側の位置）には、前記第２の弁体６４が固定ディスク６２と同軸状に配置されている。一方、第２の弁機構収容部１５の開口には段付円筒状の第１の弁体押え６５が水密に密嵌して装着されている。第２の弁体押え６５の内部には短円筒状の第２のねじ押え６６がＯリング等のシール部材６７ａ，６７ｂを介して水密に装着されている。また、第２の弁体押え６５の内部には第２のハンドル押え６８が挿入されて、第２の弁体押え６５内の第２のねじ押え６６に装着されるようになっている。【００３６】
より詳細には、固定ディスク６２は、図１０に示すように、可動ディスク６１の直径の数分の一の直径の短円筒状乃至リング筒状をなすセラミックディスクからなり、中心を軸方向に貫通する所定直径の円形断面の通水孔６２ａを有している。一方、図１１に示すように、コック本体１０の内部において第２の弁機構収容部１５の基端開口に対向する中実部分乃至隔壁の平坦面には、段付孔状の浄水吐出用連絡路１１ｈ，１１ｉが形成され、前記浄水吐出用流路１１ｅの下流端と連通している。浄水吐出用連絡路は、固定ディスク６２と同一の内径の収容部１１ｈと収容部１１ｉより小径の連通部１１ｉとを同軸上に配置した段付孔状をなし、浄水吐出用流路１１ｅと第２の弁機構収容部１５内の空間とを連通している。また、浄水吐出用連絡路の収容部１１ｈの段差面（連通部１１ｉとの間の段差面）には前記シール部材６３を収容するためのリング溝が形成され、当該リング溝にシール部材６３が密嵌して装着されている。更に、浄水吐出用連絡路の収容部１１ｈには固定ディスク６２が密嵌して装着されている。【００３７】
前記可動ディスク６１は、図９に示すように、コック本体１０の第２の弁機構収容部１５の内径（内周面の直径）と同一の直径を有する切欠を有する略円盤状のセラミックディスクからなり、その（切欠以外の）外周面が第２の弁機構収容部１５の内周面に密接させた状態で第２の弁機構収容部１５に収容され、その外周面が第２の弁機構１５の内周面上を摺動自在となっている。可動ディスク６１の一側面（第２の弁体６４と対向する面）には、方形凹部状乃至円弧凹部状をなす一対の係合凹部６１ａが、その周方向に所定角度（図示の例では係合凹部６１ａの中心間の角度＝１４０度）の間隔をおいて形成されている。また、可動ディスク６１には、一対の係合凹部６１ａ間の周方向中央位置（各係合凹部６１ａから７０度の間隔を置いた位置）に、所定直径の円形断面を有する通水孔６１ｂが軸方向に貫通して形成されている。可動ディスク６１の通水孔６１ｂは、前記固定ディスク６２の通水孔６２ａと同一直径の円形断面の孔となっている。よって、固定ディスク６２は、可動ディスク６１の通水孔６１ｂの外周部に対応する小さな直径の円筒状となる。更に、可動ディスク６１の一対の係合凹部６１ａ間において前記通水孔５１ｂと反対側の部位の外周部は、周方向に所定角度範囲だけ切除されて切欠部６１ｃとされている（図示の例では切欠部６１ｃの両端間の角度θ２＝１３０度）。したがって、図示の例の場合、切欠部６１ｃの長さ方向（円弧方向）両端は、両係合凹部６１ａからそれぞれ４５度（（３６０度−１４０度−１３０度）／２＝４５度）の位置に配置される。なお、可動ディスク６１の切欠部６１ｃは、前記第１の弁機構５０の可動ディスク５１及び２の弁機構６０の可動ディスク６１の回動角度を所定角度範囲（切欠部６１ｃの延設角度範囲）に規制して設定する回動角度設定手段を構成する。また、可動ディスク６１の切欠部６１ｃ側の外周部（切欠部６１ｃの周縁部）の中央位置には、前記通水孔５１ｂに対して可動ディスク５１の周方向に１８０度の間隔を置いて、固着孔６１ｄが軸方向に貫通して形成されている。即ち、固着孔６１ｄは、一対の係合凹部６１ａ間の周方向中央位置に配置される。固着孔６１ｄは、通水孔６１ｂと同一直径の円形孔となっている。【００３８】
前記第２の弁体６４は、図４に示すように、操作部６４ａ、一対の係止凸部６４ｂ、間隔保持リブ６４ｃ、固着突起６４ｄ及び栓棒６４ｅを一体形成したものである。操作部６４ａは、可動ディスク６１と同一直径の円盤状をなしている。一対の係止部６４ｂは、操作部６４ａの一側面（可動ディスク６１との対向面）の外周部に、可動ディスク６１の一対の係合凹部６１ａと同一の角度間隔を置いて形成され、操作部６４ａの軸方向に沿って一側方（可動ディスク６１側）に所定長だけ突出している。各係止凸部６４ｂは、可動ディスク６１の係合凹部６１ａの形状と同一の方形ブロック状乃至方形突起状をなしている。また、係止凸部６４ｂの突出長は、可動ディスク６１の係合凹部６１ａの深さより所定の余分長だけ大きい長さに設定されている。更に、間隔保持リブ６４ｃは、操作部６４ａの一側面の直径方向全体を延びる２本のリブを直交配置して十字形状のリブとされている。また、間隔保持リブ６４ｃは、前記操作部６４ａの軸方向に沿って可動ディスク６１側に向かって前記係止凸部６４ｂの余分長と同一高さだけ突出している。そして、間隔保持リブ６４ｃは、両係止凸部６４ｂの近傍位置に配置され、両係止凸部６４ｂを可動ディスク６１の両係合凹部６１ａ内に嵌合して可動ディスク６１を第２の弁体６４に連結したときに、間隔保持リブ６４ｃの十字形の２本の直線部分（或いは、４本の半直線部分）が、可動ディスク６１の一対の係合凹部６１ａ並びに通水孔６１ｂ及び固着孔６１ｄのいずれとも干渉せず、それらの間に配置されて、間隔保持リブ６４ｃの可動ディスク６１に対する対向端面が可動ディスク６１の対向面に当接するようになっている。更に、固着突起６４ｄは、可動ディスク６１の固着孔６１ｄと同一直径の円柱状をなしている。固着突起６４ｄは、操作部６４ａの一側面において一対の係止凸部６４ｂ間の周方向中央位置に配置されている。また、固着突起６４ｄは、係止凸部６４ｂより若干高い高さ、或いは、同一高さだけ操作盤６４ａから突出し、両係止凸部６４ｂを可動ディスク６１の両係合凹部６１ａ内に嵌合して可動ディスク６１を第２の弁体６４に連結したときに、可動ディスク６１の固着孔６１ｄ内に完全に、或いは、若干先端に隙間を残して収容されるようになっている。なお、固着突起６４ｄは、操作部６４ａの一側面において間隔保持リブ６４ｃ間に配置される。即ち、第２の弁体６４の一対の係止凸部６４ｂ及び固着突起６４ｄは、それぞれ、可動ディスク６１の一対の係合凹部６１ａ及び固着孔６１ｄと整合する位置に配置されている。一方、栓棒６４ｅは、操作部６４ａの他側面の中心から軸方向に他側方に向かって所定長だけ突出する略柱状をなしている。栓棒６４ｅは、前記第１の弁体５５の栓棒５５ｄと同様、円の一部の円弧状部分（弓形部分）を切除した断面形状となっている。そして、一対の係止部６４ｂを可動ディスク６１の一対の係合凹部６１ａにそれぞれ嵌合して係止すると共に、固着突起６４ｄの先端部を固着孔６１ｄに挿入すると、可動ディスク６１が第２の弁体６４に対して軸方向への着脱自在、かつ、周方向への相対回動不能に作動連結され、栓棒６４ｅを正逆回転することにより、第２の弁体６４と一体的に回動するようになっている。このとき、可動ディスク６１及び第２の弁体６４の操作部６４ａの対向面の間には、係止凸部６４ｂの余分長及び間隔保持リブ６４ｃの突出高さと同一の間隙が形成され、当該間隙が、可動ディスク６１と第２の弁体６４の操作部６４ａとの間で、可動ディスク６１の通水孔６１ｂと連通する通水空間を形成するようになっている。【００３９】
前記第２の弁体押え６５は、図４に示すように、フランジ状の支持部６５ａを短円筒状の挿着部６５ｂの一端から外方に張り出し形成した段付円筒状乃至フランジ付円筒状をなす。支持部６５ａは、コック本体１０の第２の弁機構収容部１５の外径（外周面の直径）と同一の外径を有している。一方、挿着部６５ｂは、コック本体１０の第２の弁機構収容部１５の内径（内周面の直径）と同一の外径を有している。支持部６５ａの内径と挿着部６５ｂの内径は同一とされ、第２の弁体押え６５の軸方向に貫通する円形断面の挿通孔を形成している。また、第２の弁体押え６５の内周面の支持部６５ａ側部分には雌螺子６５ｃが形成されている。そして、挿着部６５ｂを第２の弁機構収容部１５の円形開口から内部に挿入することにより、第２の弁体押え６５を第２の弁機構収容部１５に装着するようになっている。【００４０】
前記第２のねじ押え６６は、図４に示すように、前記第１のねじ押え５６と同様の構成である。即ち、第２のねじ押え６６は、第２の弁体押え６５の支持部６５ａの内径に対応する外径の円筒状をなしている。第２のねじ押え６６の一側面の中心部には正六角形の断面を有する装着凹部６６ａ（図１１及び図１２参照）が形成されている。また、第２のねじ押え６６の軸方向一側部の外周面には、第２の弁体押え６５の雌螺子６５ｃに螺入及び螺退自在な雄螺子６６ｂが形成されている。更に、第２のねじ押え６６の軸方向他側部（雄螺子６６ｂが形成されていない部分）は、第２の弁体押え６５の挿着部６５ｂの内周面に密接する密接部６６ｃとなっている。第２のねじ押え６６は、第２の弁体押え６５内に挿入し、雄螺子部６６ｂを雌螺子部６５ｂに螺合して装着するようになっている。密接部６６ｃの中心部には円形断面の挿通孔６６ｄが貫通形成されている。密接部６６ｃの挿通孔６６ｄの直径は、前記第２の弁体６４の栓棒６４ｅの直径と略同一に設定され、図１１及び図１２に示すように、栓棒６４ｅを密接部６６ｃの挿通孔６６ｄに挿通して、栓棒６４ｅの基端部の外周面を密接部６６ｃの挿通孔６６ｄの周面に密接させるようになっている。第２のねじ押え６６の密接部６６ｃの基端部（雄螺子部６６ｂとの境界部）のリング状溝内には、Ｏリング等のシール部材６７ａが密嵌して装着されている。また、密接部６６ｃの先端の平坦面のリング状溝内には、Ｏリング等のシール部材６７ｂが密嵌して装着されている。【００４１】
前記第２のハンドル押え６８は、図４に示すように、フランジ部６８ａ、固着部６８ｂ及び連結部６８ｃを一体形成してなる。フランジ部６８ａ及び固着部６８ｂは、第１のハンドル押え５９のフランジ部５９ａ及び固着部５９ｂと同様の構成である。連結部６８ｃは、固着部６８ｂの他側面の円形部分の中央部から軸方向に突出形成される。連結部６８ｃは、（第１のハンドル押え５９のように回動部５９ｃを介して設けるのではなく）固着部６８ｂに直接設けた点を除き、第１のハンドル押え５９の連結部５９ｅと同様の構成である。即ち、連結部６８ｃの中心には、図４並びに図１１及び図１２に示すように、軸方向に沿って延びる連結孔６８ｄが形成されている。連結部６８ｃの連結孔６８ｄは、前記第２の弁体６４の栓棒６４ｅと同一断面形状をなしている。このように、第１の弁機構収容部１４側では、第１の弁体５０を一定角度ごとに位置決めして回動するよう位置決めリング５８等の位置決め回動機構を設けるのに対し、第２の弁機構収容部１５側では、このような位置決め回動機構は不要であるため（無論、重複して設けることは可能であるが）、第２のハンドル押え６８は、前記第１のハンドル押え５９から（位置決めリング）５８を前提とする）回動部５９ｃを除いた構成となっている。同様の観点から、第２の弁体押え６５も、第１の弁体押え５５のように位置決めリング５８を前提とする段差面５５ｂ、位置決め溝５５ｃ、目印突起５５ｄ等の構成は設けていない。なお、第２のハンドル押え６８の連結部６８ｃは、第２のねじ押え６６の装着凹部に収容するようになっている。このとき、連結部６８ｃの連結孔６８ｄに第２の弁体６４の栓棒６４ｅを回動不能に挿着して、第２のハンドル押え６８に対して第２の弁体６４を相対回動不能に作動連結するようになっている。【００４２】
そして、本実施の形態の切替弁装置は、コック本体１０において第２の弁体収容部１５内の平坦面に、シール部材６３、固定ディスク６２及び可動ディスク６１を挿入して収容する。このとき、シール部材６３及び固定ディスク６２は、それぞれ、コック本体１０内の前記平坦面の浄水吐出用連絡路の収容部１１ｈ内に装着して固定的に保持される。このとき、固定ディスク６２の通水孔６２ａが、浄水吐出用連絡路の連通部１１ｉと対向して連通している。次に、可動ディスク６１は、第２の弁体収容部１５の円形断面の内周面に回動自在に挿入して配置され、固定ディスク６２上に密接して載置される。この状態で、前記第２の弁体６４が、その操作部６４ａ側から第２の弁体収容部１５内に収容され、一対の係止凸部６４ｂを可動ディスク６１の一対の係合凹部６１ａにそれぞれ嵌合係止して、可動ディスク６１を周方向（正逆回転方向）に一体回動するよう作動連結する。次に、上記したように、前記第２の弁体押え６５が、第２の弁体収容部１５の円形開口に装着される共に、第２のねじ押え６６が、その挿通孔６６ｄに前記第２の弁体６４の栓棒６４ｅを挿通した状態で、第２の弁体押え６５内に装着される。その後、第２のハンドル押さえ６８が、第２のねじ押え６６に対して装着され、後述するハンドル７０の他端を作動連結するようになっている。【００４３】
本実施の形態の切替弁装置は、ハンドル７０が、第１の弁機構５０と第２の弁機構６０とを作動連結し、第１の弁機構５０が第１の通水位置にあるときに第２の弁機構６０を遮水位置とすると共に、第２の弁機構６０が第２の通水位置にあるときは第１の弁機構５０を遮水位置とするよう、第１の弁機構５０と第２の弁機構６０とを同期して回動操作するようになっている。詳細には、ハンドル７０は、第１の弁機構５０の可動ディスク５１と第２の弁機構６０の可動ディスク６１とを同期して回動操作するよう、第１の弁機構５０の可動ディスク５１の回動軸となる第１の弁体５４の栓棒５４ｄと、第２の弁機構６０の可動ディスク６１の回動軸となる第２の弁体６４の栓棒６４ｅとの間を掛け渡して作動連結する形状（略コ字状乃至略Ｕ字状等の形状）をなす。より詳細には、ハンドル７０は、アーチ部７１と、アーチ部７１両端に一体形成した一対の固着部７２及び固着部７３とを有している。アーチ部７１は、コック本体１０の第１の弁機構収容部１４に装着された第１の弁体押え５５と第２の弁機構収容部１５に装着された第２の弁体押え６５と間を掛け渡す長さの直線状をなす。また、一方の固着部７２は、アーチ部７１の一端から直交して延設され、その先端部は、第１のハンドル押え５９の涙滴形状に対応する略涙滴形状のブロック状となっている。また、固着部７２の先端部には、第１のハンドル押え５９の固着部５９ｂと同一形状の固着孔７２ａが厚さ方向に貫通形成されている。更に、固着部７２の上面には、前記第１の弁体押え５５の中央の目印突起５５ｄと対応するリブ状をなす目印突起７２ｂが一体形成されている。一方、他方の固着部７３は、アーチ部７１の他端から直交して延設され、その先端部は、第２のハンドル押え６８の涙滴形状に対応する略涙滴形状のブロック状となっている。また、固着部７３の先端部には、第２のハンドル押え６８の固着部６８ｂと同一形状の固着孔７３ａが厚さ方向に貫通形成されている。【００４４】
そして、ハンドル７０の両端の固着部７２の固着孔７２ａ及び固着部７３の固着孔７３ａを、それぞれ、コック本体１０の第１の弁機構収容部１４に装着した第１の弁体押え５５の円形開口及び第２の弁機構収容部１５に装着した第２の弁体押え６５の円形開口に対向配置し、第１のハンドル押え５９の固着部５９ｂをハンドル７０の固着部７２の固着孔７２ａに挿入してフランジ部５９ａが固着部７２の外側面に当接するまで押し込んで密嵌すると共に、第２のハンドル押え６８の固着部６８ｂをハンドル７０の固着部７３の固着孔７３ａに挿入してフランジ部６８ａが固着部７３の外側面に当接するまで押し込んで密嵌する。すると、第１のハンドル押え５９の回動部５９ｃが第１の弁体押え５５内の位置決めリング５８に装着されて位置決めされ。また、このとき、第１のハンドル押え５９の回動部５９ｃが第１のねじ押え５６の装着凹部５６ａ内に収容されると共に、連結部５９ｅが挿通孔５６ｄに挿通され、連結部５９ｅの連結孔５９ｆ内に第１の弁体５４の栓棒５４ｄが挿着される。一方、第２のハンドル押え６８の連結部６８ｃは、第２のねじ押え６６の装着凹部６６ａ内に収容されると共に、連結部６８ｃの連結孔６８ｄ内に第２の弁体６４の栓棒６４ｅが挿着される。なお、この組付状態では、ハンドル７０は、第１の弁機構収容部１４の中心と第２の弁機構収容部１５の中心とを結ぶ線を回動軸として、上下方向に傾動操作自在である。即ち、ハンドル７０は、目印突起７２ｂが第１の弁体押え５５の最も手前側（ハンドル７０側）の目印突起５５ｄと一致する第１の傾動位置、目印突起７２ｂが第１の弁体押え５５の中央の目印突起５５ｄと一致する第２の傾動位置（図５及び図６の位置）、及び、目印突起７２ｂが第１の弁体押え５５の最も奥側（ハンドル７０と反対側）の目印突起５５ｄと一致する第３の傾動位置の間で傾動自在である。このとき、ハンドル７０は、位置決めリング５８により４５度ずつ位置決めされて当該第１、第２及び第３の傾動位置に配置して保持される。【００４５】
加えて、この組付状態では、ハンドル７０が第１の傾動位置にあるときは、第１の弁機構５０の可動ディスク５１は、固定ディスク５２に対して上述した第１の回動位置（図１６（ａ）及び（ｂ）の位置）にあり、可動ディスク５１の両通水孔５１ｂが固定ディスク５２の両第１の通水孔５２ａ，５２ｂとそれぞれ連通している。また、このとき、第２の弁機構６０の可動ディスク６１は、固定ディスク６２に対して第１の回動位置（図１６（ｃ）の位置）にあり、固定ディスク６２の通水孔６２ａは可動ディスク６１の壁面位置（通水孔６１ｂ以外の位置）にあるため、固定ディスク６２の通水孔６２ｂと浄水吐出口との連通は、可動ディスク６１の壁面により完全に遮断されている。次に、ハンドル７０が第２の傾動位置にあるときは、第１の弁機構５０の可動ディスク５１は、固定ディスク５２に対して上述した第２の回動位置（図１６（ｄ）及び（ｅ）の位置）にあり、可動ディスク５１の両通水孔５１ｂが固定ディスク５２の両第２の通水孔５２ｃ，５２ｄとそれぞれ連通している。また、このとき、第２の弁機構６０の可動ディスク６１は、固定ディスク６２に対して第２の回動位置（図１６（ｆ）の位置）にあり、固定ディスク６２の通水孔６２ａは、依然として可動ディスク６１の壁面位置（通水孔６１ｂ以外の位置）にあるため、固定ディスク６２の通水孔６２ａと浄水吐出口との連通は、可動ディスク６１により完全に遮断されている。次に、ハンドル７０が第３の傾動位置にあるときは、第１の弁機構５０の可動ディスク５１は、固定ディスク５２に対して上述した第３の回動位置（図１６（ｇ）及び（ｈ）の位置）にあり、可動ディスク５１の両通水孔５１ｂは、固定ディスク５２の遮蔽溝の一対の狭窄部５２ｈ，５２ｉ部分に対向配置され、固定ディスク５２の第１の通水孔５２ａ，５２ｂまたは第２の通水孔５２ｃ，５２ｄとの連通は、両狭窄部５２ｈ，５２ｉ部分の壁面により完全に遮断されている。また、このとき、第２の弁機構６０の可動ディスク６１は、固定ディスク６２に対して第３の回動位置（図１６（ｉ）の位置）にあり、固定ディスク６２の通水孔６１ａが可動ディスク６２の通水孔６２ｂと連通している。【００４６】
ここで、図１６（ｉ）に示すように、ハンドル７０の第３の傾動位置では、第２の弁機構６０の可動ディスク６１の切欠部６１ｃの一端の段差部乃至段差面が、コック本体１０の内部に固定的に設けた規制片６９に当接して係止され、可動ディスク６１のそれ以上の回動が阻止されると共に、ハンドル７０を介して同軸状に連結された第１の弁機構５０の可動ディスク５１のそれ以上の回動も阻止される。したがって、ハンドル７０は、第３の傾動位置から更に奥側乃至後方（原水給水部１６または浄水流入部１７側）への回動不能となっている。一方、ハンドル７０の第１の傾動位置から第２の傾動位置までの回動角度（前記第１の回動位置から第２の回動位置までの回動角度）が４５度であり、ハンドル７０の第２の傾動位置から第３の傾動位置までの回動角度（前記第２の回動位置から第３の回動位置までの回動角度）が４５度であるため、第１の傾動位置と第３の傾動位置との間の回動角度（第１の回動位置と第３の回動位置との間の回動角度）は９０度となる。一方、第２の弁機構６０の可動ディスク６１の切欠部６１ｃの延設角度は１３０度であり、第１の傾動位置と第３の傾動位置との間の回動角度（第１の回動位置と第３の回動位置との間の回動角度）に対して４０度の余裕角度が設けられている。したがって、前記規制片６９を点状として（可動ディスク６１の回動方向に）設置角度範囲を殆ど設けない場合、ハンドル７０の第１の傾動位置では、第２の弁機構６０の可動ディスク６１の切欠部６１ｃの他端が、コック本体１０の内部の規制片６９に未だ当接せず、ハンドル７０は、第１の傾動位置から更に手前側乃至前方へ回動することができる。即ち、この場合、ハンドル７０を第１の傾動位置から手前乃至前方に前記余裕角度分（４０度）回動したときに、可動ディスク６１の切欠部６１ｃの他端の段差部乃至段差面が規制片６９に当接して係止され、可動ディスク６１のそれ以上の回動が阻止されると共に、ハンドル７０を介して同軸状に連結された第１の弁機構５０の可動ディスク５１のそれ以上の回動も阻止される。このとき、固定ディスク５２の第１の通水孔５２ａは４５度の角度範囲に延設された長孔であり、第１の傾動位置（第１の回動位置）では、可動ディスク５１の通水孔５１ｂが固定ディスク５２の第１の通水孔５２ａの一端（図１６（ｂ）の位置）に配置される。したがって、この場合、ハンドル７０を第１の傾動位置から更に手前側に傾動することも可能である。しかし、前記規制片６９を線状として（可動ディスク６１の回動方向に）ある程度の設置角度範囲を設けた場合（例えば、前記余裕角度を相殺する設置角度範囲を設けた場合）、ハンドル７０の第１の傾動位置で第２の弁機構６０の可動ディスク６１の切欠部６１ｃの他端がコック本体１０の内部の規制片６９に当接して、それ以上の回動を規制されるため、ハンドル９０の傾動角度範囲（及び可動ディスク５１，６１の回動角度範囲）は９０度となる。【００４７】
［動作］
本実施の形態の切替弁装置は、流入部１２が各種水栓の吐水パイプ先端の吐出口に取付ナット２４を介して取付けられる。また、原水給水部１６には外部給水装置の一例としての浄水器へ向かう給水ホースが接続され、浄水流入部１７には浄水器からの浄水ホースが接続される。そして、この状態で、水栓のハンドルや操作部を吐水位置とすることにより、吐水パイプの吐出口からの原水が流入部１２の原水流入口２４ａ内に流入する。ここで、ハンドル７０を第１の傾動位置とすると、図１３に示すように、原水流入口２４ａから流入した原水は、ストレーナ２２を経て原水流入路１１ａに流入し、原水流入路１１ａから第１の弁体５４の操作部５４ａと可動ディスク５１との間の通水空間内に流入する。このとき、第１の弁機構５０の可動ディスク５１は前記第１の回動位置にあり、一対の通水孔５１ｂが、それぞれ、固定ディスク５２の一対の第１の通水孔５２ａ，５２ｂと連通している。したがって、原水は、可動ディスク５１の両通水孔５１ｂから固定ディスク５２の両第１の通水孔５２ａ，５２ｂへ流入し、切替流路用パッキン５３の長孔５３ａ及び円形孔５３ｂを経て、切替コック１０の一対のストレート吐出用連絡路１１ｆに流入し、両ストレート吐出用連絡路１１ｆからストレート吐出用流路１１ｂへと流入して、ストレート吐出口の泡沫内芯５３からストレート吐出される。一方、原水流入路１１ａから第１の弁体５４の操作部５４ａと可動ディスク５１との間の通水空間内に流入した原水は、原水給水用流路１１ｄ内にも流入し、原水給水部１６の流量調整弁４１を経て原水給水口から浄水器へと給水され、浄水器で浄化された浄水が、浄水流入部１７の浄水流入口から浄水吐出用流路１１ｅに流入し、浄水吐出用連絡路１１ｈから第２の弁機構６０の固定ディスク６２の通水孔６２ａ内に流入する。しかし、このとき、第２の弁機構６０の可動ディスク６１は前記第１の回動位置にあり、固定ディスク６２の通水孔６２ａが可動ディスク６１の壁面と対向して完全に遮断されているため、固定ディスク６２の通水孔６２ａからの浄水が可動ディスク６１を超えて浄水吐出口側に流出することは全くない。【００４８】
次に、ハンドル７０を第１の傾動位置から第２の傾動位置に回動すると、図１４に示すように、原水流入口２４ａから流入した原水は、ストレーナ２２を経て原水流入路１１ａに流入し、原水流入路１１ａから第１の弁体５４の操作部５４ａと可動ディスク５１との間の通水空間内に流入する。このとき、第１の弁機構５０の可動ディスク５１は前記第１の回動位置から所定角度（θ３＝４５度）だけ回動されて第２の回動位置にあり、一対の通水孔５１ｂが、それぞれ、固定ディスク５２の一対の第２の通水孔５２ｃ，５２ｄと連通している。したがって、原水は、可動ディスク５１の両通水孔５１ｂから固定ディスク５２の両第２の通水孔５２ｃ，５２ｄへ流入し、切替流路用パッキン５３の円形孔５３ｃ及び円形孔５３ｄを経て、切替コック１０の一対のシャワー吐出用連絡路１１ｇに流入し、両シャワー吐出用連絡路１１ｇからシャワー吐出用流路１１ｃへと流入して、シャワー吐出口のシャワーキャップ３４からシャワー吐出される。一方、原水流入路１１ａから第１の弁体５４の操作部５４ａと可動ディスク５１との間の通水空間内に流入した原水は、原水給水用流路１１ｄ内にも流入し、原水給水部１６の流量調整弁４１を経て原水給水口から浄水器へと給水され、浄水器で浄化された浄水が、浄水流入部１７の浄水流入口から浄水吐出用流路１１ｅに流入し、浄水吐出用連絡路１１ｈから第２の弁機構６０の固定ディスク６２の通水孔６２ａ内に流入する。しかし、このとき、第２の弁機構６０の可動ディスク６１は前記第２の回動位置にあり、固定ディスク６２の通水孔６２ａが依然として可動ディスク６１の壁面と対向して完全に遮断されているため、固定ディスク６２の通水孔６２ａからの浄水が可動ディスク６１を超えて浄水吐出口側に流出することは全くない。【００４９】
次に、ハンドル７０を第２の傾動位置から第３の傾動位置に回動すると、図１５に示すように、原水流入口２４ａから流入した原水は、ストレーナ２２を経て原水流入路１１ａに流入し、原水流入路１１ａから第１の弁体５４の操作部５４ａと可動ディスク５１との間の通水空間内に流入する。このとき、第１の弁機構５０の可動ディスク５１は前記第２の回動位置から所定角度（θ４＝４５度）だけ回動されて前記第３の回動位置にあり、一対の通水孔５１ｂが、それぞれ、動ディスク５１の遮蔽溝の両狭窄部５２ｈ，５２ｉ部分に配置されて完全に遮断されている。したがって、原水は、可動ディスク５１の両通水孔５１ｂから固定ディスク５２の第１の通水孔５２ａ，５２ｂまたは第２の通水孔５２ｃ，５２ｄのいずれへも流入することは全くなく、ストレート吐出口またはシャワー吐出口のいずれからも吐出されることは全くない。一方、原水流入路１１ａから第１の弁体５４の操作部５４ａと可動ディスク５１との間の通水空間内に流入した原水は、原水給水用流路１１ｄ内にも流入し、原水給水部１６の流量調整弁４１を経て原水給水口から浄水器へと給水され、浄水器で浄化された浄水が、浄水流入部１７の浄水流入口から浄水吐出用流路１１ｅに流入し、浄水吐出用連絡路１１ｈから第２の弁機構６０の固定ディスク６２の通水孔６２ａ内に流入する。このとき、第２の弁機構６０の可動ディスク６１は前記第３の回動位置にあり、固定ディスク６２の通水孔６２ａが可動ディスク６１の通水孔６１ｂと連通している。したがって、固定ディスク６２の通水孔６２ａからの浄水が、可動ディスク６１の通水孔６１ｂを経て、可動ディスク６１と第２の弁体６４の操作部６４ａとの間の通水空間に流入し、当該通水空間を経て、浄水吐出部１８の浄水吐出口の浄水側キャップ４６から浄水吐出される。【００５０】
このようにして、ハンドル７０を第１の傾動位置、第２の傾動位置及び第３の傾動位置の間で切替操作することにより、第１の弁機構５０の可動ディスク５１及び第２の弁機構６０の可動ディスク６１を第１の回動位置、第２の回動位置及び第３の回動位置の間で弁切替動作することができ、その順に、ストレート吐水、シャワー吐水及び浄水吐水の間で吐水状態を切替動作することができる。なお、ハンドル７０は、第１の傾動位置から更に手前側に傾動することも可能であり、このとき、第１の弁機構５０の可動ディスク５１の通水孔５１ｂの一方が、固定ディスク５２の長孔状の第１の通水孔５２ａと連通している。したがって、原水は、可動ディスク５１の一方の通水孔５１ｂから固定ディスク５２の一方の第１の通水孔５２ａへ流入し、切替流路用パッキン５３の長孔５３ａを経て、切替コック１０の一方のストレート吐出用連絡路１１ｆに流入し、一方のストレート吐出用連絡路１１ｆからストレート吐出用流路１１ｂへと流入して、ストレート吐出口の泡沫内芯５３からストレート吐出される。【００５１】
［効果］
本実施形態に係る切替弁装置は、上記のように、セラミックディスクを利用する一方で、各吐出モード時の通水量を大きく確保して装置全体のコンパクト化が可能であり、また、左利きの人や握力の弱い人等にとっての操作性を大きく改善してユニバーサルデザインを可能にし、更に、小さい操作スペースでも十分かつ容易なハンドル操作を可能とする。また、ストレート吐水とシャワー吐水とを第１の弁機構５０の２枚のセラミックディスク（可動ディスク５１及び固定ディスク５２）により切替動作すると共に、浄水吐水を第２の弁機構６０の２枚のセラミックディスク（可動ディスク６１及び固定ディスク６２）により切替動作する、即ち、４枚のセラミックディスクにより三方弁の切替動作を行うため、原水吐水時（ストレート吐水時またはシャワー吐水時）には、第２の弁機構６０の可動ディスク６１と固定ディスク６２との連通を（原水吐水側とは独立して動作することにより）完全に遮断することができるため、浄水吐水口からの浄水吐水を確実に完全に遮断することができ、原水側からの残圧等により浄水吐水口から水漏れを起こすことを確実に防止することができる。同様に、浄水吐水時には、第１の弁機構５０の可動ディスク５１と固定ディスク５２との連通を（浄水吐水側とは独立して動作することにより）完全に遮断することができるため、ストレート吐水口やシャワー吐水口からの原水吐水を確実に完全に遮断することができ、原水側からの残圧等によりストレート吐水口やシャワー吐水口から水漏れを起こすことを確実に防止することができる。【００５２】
また、第１の弁機構５０では、可動ディスク５１に一対の通水孔５１ｂを設けて、固定ディスク５２にも対応する一対の第１の通水孔５２ａ，５２ｂ及び一対の第２の通水孔５２ｃ，５２ｄを設けたため、原水吐水時（ストレート吐水時またはシャワー吐水時）の吐水量を大幅に増量（従来の１個のみの通水孔に比較して約４０％増量）することができる。一方、第２の弁機構６０では、固定ディスク６２を可動ディスク６１の直径の数分の一の直径の短円筒状乃至リング筒状としたため、可動ディスク６１に対する固定ディスク６２の摺接面積が非常に小さくなり、摺動摩擦抵抗を大幅に低減することができる。したがって、可動ディスク６１及び固定ディスク６２の摺動部分の磨耗を大幅に低減し、耐久性及び信頼性を大幅に向上することができると共に、可動ディスク６１の回動トルクを小さくして回動操作をより円滑に行うことができる。同様に、第１の弁機構５０の固定ディスク５２にも遮蔽溝５２ｅ，５２ｆ，５２ｇ，５２ｈ，５２ｉを設けたため、可動ディスク５１に対する固定ディスク５２の摺接面積がその分小さくなり、摺動摩擦抵抗を低減することができ、可動ディスク５１及び固定ディスク５２の摺動部分の磨耗をその分低減し、耐久性及び信頼性を向上することができると共に、可動ディスク５１の回動トルクを小さくして回動操作をより円滑に行うことができる。【００５３】
更に、単一のハンドル７０により第１の弁機構５０と第２の弁機構６０とを同期回動するよう作動連結するため、利き腕にかかわらず（右利きの人及び左利きの人の両者が）容易にハンドル７０を傾動操作して、ストレート吐水、シャワー吐水及び浄水吐水の間での吐水状態を切替動作することができる。また、第１の弁機構５０及び第２の弁機構６０が、９０度の回動角度範囲内で回動して、第１の回動位置、第２の回動位置及び第３の回動位置となるよう構成したため、ハンドル７０による傾動角度が９０度の範囲内となる。したがって、キッチンシンク上に配設される水栓の場合のように、非常にスペースが限定される（スペースが小さい）水栓に本実施の形態の切替弁装置を取付けた場合でも、ハンドル７０の傾動角度範囲が９０度の範囲内と非常に小さいため、ハンドル７０によるストレート吐水、シャワー吐水及び浄水吐水の間での弁切替動作を容易かつ確実に行うことができる。なお、ハンドル７０の傾動角度が９０度を超えるにつれて、ハンドル７０の上端位置（最も上側の位置）が高くなりすぎ、水栓と衝突して操作が困難となる可能性が大きくなる。このように、本実施の形態の切替弁装置は、ユニバーサルデザインにとって非常に好適なものとなる。【００５４】
なお、上記実施の形態において、可動ディスク５１，６１及び固定ディスク５２，６２の表面には、少なくともそれらの摺接面に、ＤＬＣ（ダイヤモンドライクカーボン）コーティングを施し、可動ディスク５１，６１と固定ディスク５２，６２との間の摺動摩擦抵抗を低減して耐久性や操作性を向上することが好ましい。【００５５】
［別例］
ところで、本発明の切替弁装置は、上記実施の形態の切替弁装置以外にも、発明の課題を達成する限りにおいて任意の構成とすることができる。例えば、弁装置本体は、第１の水流入口（原水流入口２４ａ等）、第１の水流入口とそれぞれ第１の流路（ストレート吐出用流路１１ｂ等）及び第２の流路（原水給水用流路１１ｄ等）により連通する第１の水流出口（ストレート吐出口等）及び第２の水流出口（原水給水口等）と、第２の水流出口と外部給水装置（浄水器等）を介して連通自在な第２の水流入口（浄水流入口等）と、第２の水流入口と第３の流路（浄水吐出用流路１１ｅ等）を介して連通する第３の水流出口（浄水吐出口）とを有する限りにおいて、上記実施の形態と異なる構成とすることができる。また、第１の弁機構は、弁装置本体の軸方向一側において、第１の水流入口と第１の水流出口とを結ぶ経路上に内装配置され、第１の水流入口と第１の水流出口とを連通状態とする第１の通水位置と、第１の水流入口と前記第１の水流出口とを遮断状態とする遮水位置との間で切替自在なセラミックディスクからなる限りにおいて、上記実施の形態と異なる構成とすることができる。例えば、第１の弁機構は、可動ディスク５１及び固定ディスク５２を密接状態で、ハンドル７０の回転軸に沿って同軸上に配置する一方、可動ディスク５１の中心から半径方向に所定距離を置いた外周部の位置に少なくとも１個の通水孔５１ｂを形成すると共に、固定ディスク５２の中心から半径方向において可動ディスク５１の通水孔５２ｂと同一の距離を置いた位置に、可動ディスク５１を回動したときの当該可動ディスク５１の通水孔５１ｂの移動軌跡上に当該可動ディスク５１の通水孔５１ｂと連通自在な通水孔を形成して、可動ディスク５１を回動してその通水孔５１ｂを固定ディスク５２の通水孔と連通状態とすることにより、第１の水流入口（原水流入口２４ａ）と第１の水流出口（ストレート吐出口）とを連通する第１の通水位置とすると共に、可動ディスク５１を回動してその通水孔５１ｂを固定ディスク５２の通水孔と非連通状態とすることにより、第１の水流入口と第１の水流出口との連通を遮断して前記遮水位置とすればよい。即ち、例えば、上記実施の形態の第４の水流出口（シャワー吐出口）及びこれに連通する流路や連絡路を省略してもよい。この場合、切替弁装置は二方切替弁となる。また、この場合、第１の弁機構の固定ディスクには第１の水流出口に連通する通水孔のみ形成すればよい。この場合でも、第１の弁機構及び第２の弁機構を独立して設け、ハンドルにより同期して回動操作することにより、上記と同様の作用及び効果を発揮することができる。また、上記実施の形態では、コック本体１０内の隔壁及びシャワーキャップ３４の隔壁により原水の流路及び吐水口をストレート吐水用の流路及び吐水口とシャワー吐水用の流路及び吐水口とに区画しているが、本発明は、ストレート吐水口及びシャワー吐水口以外にも、異なる２つの流路をコック本体１０内に隔壁を介して形成し、対応する２つの吐出口を設けたものとすればよい。【００５６】
また、第２の弁機構は、弁装置本体の軸方向他側において、第１の水流入口並びに第１及び第２の水流出口と隔壁により遮断された状態で、かつ、第１の弁機構と同軸上となるよう、第２の水流入口と第３の水流出口をと結ぶ経路上に内装配置され、第２の水流入口と第３の水流出口とを連通状態とする第２の通水位置と、第２の水流入口と第３の水流出口とを遮断状態とする遮水位置との間で切替自在なセラミックディスクからなる限りにおいて、上記実施の形態と異なる構成とすることができる。更に、ハンドルは、第１の弁機構が第１の通水位置にあるときに第２の弁機構を遮水位置とすると共に第２の弁機構が第２の通水位置にあるときは第１の弁機構を遮水位置とするよう第１の弁機構と第２の弁機構とを同期して回動操作すべく、第１の弁機構と第２の弁機構とを作動連結する限りにおいて、上記実施の形態と異なる構成とすることができる。例えば、第２の弁機構は、可動ディスク６１及び固定ディスク６２を密接状態でハンドル７０の回転軸に沿って配置する一方、可動ディスク６１の中心部から半径方向に所定距離を置いた外周部の位置に少なくも１個の通水孔６１ｂを形成すると共に、固定ディスク６２には可動ディスク６１を回動したときの当該可動ディスク６１の通水孔６１ｂの移動軌跡上に当該可動ディスク６１の通水孔６１ｂと連通自在な通水孔６２ａを形成して、可動ディスク６１を回動してその通水孔６１ｂを固定ディスク６２の通水孔６２ａと連通状態とすることにより、第２の水流入口と第３の水流出口とを連通する第２の通水位置とすると共に、可動ディスク６１を回動してその通水孔６１ｂを固定ディスク６２の通水孔６２ａと非連通状態とすることにより、第２の水流入口と第３の水流出口との連通を遮断して遮水位置とする構成とすることができる。【００５７】
また、上記実施の形態では、第１の弁機構５０の固定ディスク５２の通水孔として、第１の水流出口用の第１の通水孔５２ａ，５２ｂに加え、当該固定ディスク５２における可動ディスク５１を回動したときの当該可動ディスク５１の通水孔５１ｂの移動軌跡上において、固定ディスク５１の第１の通水孔５２ａ，５２ｂと所定角度を置いた別の位置に、可動ディスク５１の通水孔と連通自在な第２の通水孔５２ｃ，５２ｄを形成して、可動ディスク５１を回動してその通水孔５１ｂを固定ディスク５２の第２の通水孔５２ｃ，５２ｄと連通状態とすることにより、第１の水流入口と第４の水流出口とを連通する第３の通水位置とすると共に、可動ディスク５１を回動してその通水孔５１ｂを固定ディスク５２の第１の通水孔５２ａ，５２ｂ及び第２の通水孔５２ｃ，５２ｄのいずれとも非連通状態とすることにより、第１の水流入口と第１の水流出口及び第４の水流出口の両者との連通を遮断して前記遮水位置とするようになっている。また、上記のように、第１の弁機構５０は、可動ディスク５１の通水孔５１ｂとして一対の通水孔５１ｂを当該可動ディスク５１の周方向に１８０度の角度間隔を置いて形成すると共に、固定ディスク５２の通水孔として、可動ディスク５１の一対の通水孔５１ｂと対応する一対の通水孔（第１の通水孔５２ａ，５２ｂ）のみを、可動ディスク５１を回動したときの当該可動ディスク５１の通水孔５１ｂの移動軌跡上に当該可動ディスク５１の通水孔５１ｂと連通自在なよう形成して、可動ディスク５１を回動してその一対の通水孔５１ｂを固定ディスクの一対の通水孔５２ａ，５２ｂとそれぞれ連通状態とすることにより、第１の水流入口と第１の水流出口とを連通する第１の通水位置とすると共に、可動ディスク５１を回動してその一対の通水孔５１ｂを固定ディスク５２の一対の通水孔５２ａ、５２ｂのいずれとも非連通状態とすることにより、第１の水流入口と第１の水流出口との連通を遮断して遮水位置とすることもできる。このように、第１の弁機構５０の可動ディスク５１及び固定ディスク５２に、それぞれ、第１の水流出口（ストレート吐出口）及び第４の水流出口（シャワー吐出口）用の一対の通水孔５１ｂ及び５２ａ，５２ｂ，５２ｃ，５２ｄを設けることが好ましいが、本発明の切替弁装置は、流量が要求されないような用途では、可動ディスク及び固定ディスクの通水孔の数をそれぞれ１個のみとしてもよい。【００５８】
また、上記実施の形態では、第２の弁機構６０は、可動ディスク６１の通水孔６１ｂを円形孔とすると共に、固定ディスク６２を、可動ディスク６１の通水孔６１ｂより若干大径で当該可動ディスク６１の通水孔６１ｂを包囲する外形を有し、かつ、当該可動ディスク６１の通水孔６１ｂと対応する形状（同一半径または若干大径の円形）をなす通水孔６２ａを有するリング状とし、固定ディスク６２を可動ディスク６１の通水孔６１ｂの移動軌跡上に配置して固定している。しかし、例えば、第１の弁機構５０と同様、可動ディスク６１に一対の通水孔を設け、固定ディスクを可動ディスク６１と同等の寸法のセラミックディスクとして、固定ディスクにも対応する一対の通水孔を設けて、第３の水流出口からの流量を増大することもできる。【００５９】
また、上記実施の形態では、第１の弁機構５０の固定ディスク５２の第１の通水孔５２ａ，５２ｂ及び第２の通水孔５２ｃ，５２ｄと第２の弁機構６０の固定ディスク６２の通水孔６２ａとを、それぞれの可動ディスク５１，６１の回転方向において９０度以内の配置角度範囲内にそれぞれ離間配置し、当該配置角度範囲内で、ハンドル７０によって第１の弁機構５０及び第２の弁機構６０を同期して回動することにより、第１の弁機構５０の第１の通水位置及び第３の通水位置と第２の弁機構６０の第２の通水位置との間での弁切替操作を行うようにしている。このように、固定ディスク５２の第１の通水孔５２ａ，５２ｂに対する第２の通水孔５２ｃ，５２ｄの配置角度は、固定ディスク５２の周方向に４５度以内の角度とすることが好ましい。同様に、固定ディスク５２の第２の通水孔５２ｃ，５２ｄに対する遮蔽溝の一対の狭窄部５２ｈ，５２ｉの配置角度も、固定ディスク５２の周方向に４５度以内の角度とすることが好ましい。この場合、これらを同一角度とすれば、同一角度の回動操作ごとに切替操作を行うことができ、操作感覚が向上するが、無論、異なる角度とすることも可能である。また、上記のように、各吐水状態の切替のための回動角度を４５度以内の角度とすれば、即ち、その上限角度を４５度とすれば、三方弁の場合はその合計回動角度が９０度以内となり、ユニバーサルデザインとしての操作性が向上し、狭い空間でもハンドル操作が可能となるという利点が得られる。即ち、各吐水状態の切替のための回動角度は、上記実施の形態の４５度以外にも、４０度、３５度等、別の角度とすることもできる。一方、ある程度の操作スペースが確保できる当の場合は、各吐水状態の切替のための回動角度を４５度以上の角度、例えば、５０度、５５度等とすることも可能である。【００６０】
一方、各吐水状態の切替のための回動角度の下限角度は、可動ディスク５１の挿通孔５２ｂが固定ディスク５２の第１の通水孔５２ａ，５２ｂとの対向位置（第１の回動位置）から第２の通水孔５２ｃ，５２ｄとの対向位置（第２の角度位置）に至る間に、固定ディスク５２の対向面により完全に遮断状態となるよう、即ち、第１の通水孔５２ａ，５２ｂや第２の通水孔５２ｃ，５２ｄの一部と連通して一部でも通水状態とならないよう、第１の通水孔５２ａ，５２ｂと第２の通水孔５２ｃ，５２ｄとの間隔を設定できる限りにおいて、任意の角度とすることができる。即ち、第１の通水孔５２ａ，５２ｂと第２の通水孔５２ｃ，５２ｄとの間隔を通水孔５１ｂの直径より大きな寸法とする限りにおいて、任意の角度とすることができる。下限角度を小さくすれば、全体の操作角度が小さくなり、より小さいスペースでの操作が可能となるが、通常は、４０度程度とすれば十分であり、４５度とすることが操作感覚等の点では好ましい。【００６１】
また、上記実施の形態では、各吐水状態の切替のための回動角度を規制するための回動角度規制手段として、第２の弁機構６０の可動ディスク６１に切欠部６１ｃを設けたが、本発明はこれ以外の構成の回動角度規制手段を設けることもできる。即ち、本発明は、第１の弁機構５０の可動ディスク５１の外周部の一部に、第１の弁機構５０の固定ディスク５２の第１の通水孔５２ａ，５２ｂ及び第２の通水孔５２ｃ，５２ｄと第２の弁機構６０の固定ディスク６２の通水孔６２ａの配置角度範囲と同一の角度範囲で延びる円弧状の切欠部を設けて、コック本体１０内の規制片との当接により回動角度を規制することができる。即ち、当該可動ディスク５１の回動時に、切欠部の円弧方向両端の段差部を弁装置本体の内部に設けた対応する突起状等の規制片にそれぞれ係止してそれ以上の回動を阻止（規制）することにより、第１の弁機構５０の固定ディスク５２の第１の通水孔５２ａ，５２ｂ及び第２の通水孔５２ｃ，５２ｄと第２の弁機構６０の固定ディスク６１の通水孔６１ｂとの配置角度範囲内でのみ、ハンドル７０による第１の弁機構及５０び第２の弁機構６０の回動操作を行うようにしてもよい。
【図１】
2010016091.tif 000003
【図２】
2010016091.tif 000004
【図３】
2010016091.tif 000005
【図４】
2010016091.tif 000006
【図５】
2010016091.tif 000007
【図６】
2010016091.tif 000008
【図７】
2010016091.tif 000009
【図８】
2010016091.tif 000010
【図９】
2010016091.tif 000011
【図１０】
2010016091.tif 000012
【図１１】
2010016091.tif 000013
【図１２】
2010016091.tif 000014
【図１３】
2010016091.tif 000015
【図１４】
2010016091.tif 000016
【図１５】
2010016091.tif 000017
【図１６】
2010016091.tif 000018
【国際調査報告】
2010016091.tif 000019
2010016091.tif 000020
2010016091.tif 000021
2010016091.tif 000022